(57)【要約】【課題】無線資源の使用効率を低下させてしまうことなく同報サービスに用いられる無線チャネルタイプを切り替えることができるコンテンツ配信システムを得る。【解決手段】ユーザ端末１０１〜１０３はＰｔＰチャネル１〜３で同一コンテンツを受信している。これらＰｔＰチャネルの下り送信電力の総和が、単一のＰｔＭチャネルでユーザ端末１０１〜１０３にコンテンツを配信する場合のこのＰｔＭチャネルの下り送信電力より大きいならば、ユーザ端末１０１〜１０３にコンテンツを配信するための無線チャネルをＰｔＰチャネル１〜３からＰｔＭチャネルに切替えると判断する。【選択図】 図６
2008219918.tif 000002
【特許請求の範囲】
【請求項１】
基地局から移動局に対するコンテンツの配信のための電力量に基づいて前記基地局から前記移動局への通信チャネルの種別を切替えるか否かを判断するチャネル切替判断手段を含むことを特徴とするコンテンツ配信システム。
【請求項２】
前記チャネル切替判断手段は、前記配信に現在用いられている第１の通信チャネルの下り送信電力量と、前記第１の通信チャネルと種別の異なる第２の通信チャネルを前記配信に用いた場合における前記第２の通信チャネルの下り送信電力量とに基づいて、前記第１の通信チャネルを前記第２の通信チャネルへ切替えるか否かを判断することを特徴とする請求項１記載のコンテンツ配信システム。
【請求項３】
前記チャネル切替判断手段は、前記第２の通信チャネルの下り送信電力量が前記第１の通信チャネルの下り送信電力量より小である場合、前記第１の通信チャネルを前記第２の通信チャネルへ切替えると判断することを特徴とする請求項２記載のコンテンツ配信システム。
【請求項４】
前記チャネル切替判断手段が前記第１の通信チャネルを前記第２の通信チャネルへ切替えると判断した場合に、前記第１の通信チャネルから前記第２の通信チャネルへの切替えを行なっている間の前記基地局の下り送信電力の総和が上限値以下となるよう前記第１の通信チャネルを前記第２の通信チャネルへ切替えるチャネル切替制御手段を含むことを特徴とする請求項２又は３記載のコンテンツ配信システム。
【請求項５】
前記第１の通信チャネルは前記移動局に個別に割り当てられる個別チャネルであり、前記第２の通信チャネルは前記移動局に共通に割り当てられる共通チャネルであり、
前記チャネル切替制御手段は、前記個別チャネルのうち下り送信電力が小さいチャネルから順に前記共通チャネルに切替えてゆくことにより前記個別チャネルを前記共通チャネルへ切替えることを特徴とする請求項４記載のコンテンツ配信システム。
【請求項６】
前記第１の通信チャネルは前記移動局に共通に割り当てられる共通チャネルであり、前記第２の通信チャネルは前記移動局に個別に割り当てられる個別チャネルであり、
前記チャネル切替制御手段は、前記個別チャネルを前記配信に用いた場合に下り送信電力が大きい個別チャネルを介して前記コンテンツを受信する移動局から順に個別チャネルを割り当ててゆくことにより前記共通チャネルを前記個別チャネルへ切替えることを特徴とする請求項４記載のコンテンツ配信システム。
【請求項７】
前記チャネル切替判断手段は、前記移動局の数の変化に応答して、前記基地局から前記移動局への通信チャネルの種別を切替えるか否かを判断することを特徴とする請求項１〜６いずれか記載のコンテンツ配信システム。
【請求項８】
前記チャネル切替判断手段は、前記コンテンツを配信するサービスの許容受信局数の変化に応答して、前記基地局から前記移動局への通信チャネルの種別を切替えるか否かを判断することを特徴とする請求項１〜６いずれか記載のコンテンツ配信システム。
【請求項９】
前記チャネル切替判断手段は、前記コンテンツを配信するサービス以外のサービスの許容受信局数の変化に応答して、前記基地局から前記移動局への通信チャネルの種別を切替えるか否かを判断することを特徴とする請求項１〜６いずれか記載のコンテンツ配信システム。
【請求項１０】
前記基地局から前記移動局への通信チャネルの種別の切替えは、前記コンテンツを配信するサービスにおける切替えであることを特徴とする請求項１〜９いずれか記載のコンテンツ配信システム。
【請求項１１】
移動局へコンテンツを配信するコンテンツ配信システムのチャネル切替制御方法であって、
基地局から前記移動局に対する前記コンテンツの配信のための電力量に基づいて前記基地局から前記移動局への通信チャネルの種別を切替えるか否かを判断するチャネル切替判断ステップを含むことを特徴とするチャネル切替制御方法。
【請求項１２】
前記チャネル切替判断ステップにおいて、前記配信に現在用いられている第１の通信チャネルの下り送信電力量と、前記第１の通信チャネルと種別の異なる第２の通信チャネルを前記配信に用いた場合における前記第２の通信チャネルの下り送信電力量とに基づいて、前記第１の通信チャネルを前記第２の通信チャネルへ切替えるか否かを判断することを特徴とする請求項１１記載のチャネル切替制御方法。
【請求項１３】
前記チャネル切替判断ステップにおいて、前記第２の通信チャネルの下り送信電力量が前記第１の通信チャネルの下り送信電力量より小である場合、前記第１の通信チャネルを前記第２の通信チャネルへ切替えると判断することを特徴とする請求項１２記載のチャネル切替制御方法。
【請求項１４】
前記チャネル切替判断ステップにおいて前記第１の通信チャネルを前記第２の通信チャネルへ切替えると判断された場合、前記第１の通信チャネルから前記第２の通信チャネルへの切替えを行なっている間の前記基地局の下り送信電力の総和が上限値以下となるよう前記第１の通信チャネルを前記第２の通信チャネルへ切替えるチャネル切替制御ステップを有することを特徴とする請求項１２又は１３記載のチャネル切替制御方法。
【請求項１５】
前記第１の通信チャネルは前記移動局に個別に割り当てられる個別チャネルであり、前記第２の通信チャネルは前記移動局に共通に割り当てられる共通チャネルであり、
前記チャネル切替制御ステップにおいて、前記個別チャネルのうち下り送信電力が小さいチャネルから順に前記共通チャネルに切替えてゆくことにより前記個別チャネルが前記共通チャネルへ切替えられることを特徴とする請求項１４記載のチャネル切替制御方法。
【請求項１６】
前記第１の通信チャネルは前記移動局に共通に割り当てられる共通チャネルであり、前記第２の通信チャネルは前記移動局に個別に割り当てられる個別チャネルであり、
前記チャネル切替制御ステップにおいて、前記個別チャネルを前記配信に用いた場合に下り送信電力が大きい個別チャネルを介して前記コンテンツを受信する移動局から順に個別チャネルを割り当ててゆくことにより前記共通チャネルが前記個別チャネルへ切替えられることを特徴とする請求項１４記載のチャネル切替制御方法。
【請求項１７】
前記チャネル切替判断ステップにおいて、前記移動局の数の変化に応答して、前記基地局から前記移動局への通信チャネルの種別を切替えるか否かを判断することを特徴とする請求項１１〜１６いずれか記載のチャネル切替制御方法。
【請求項１８】
前記チャネル切替判断ステップにおいて、前記コンテンツを配信するサービスの許容受信局数の変化に応答して、前記基地局から前記移動局への通信チャネルの種別を切替えるか否かを判断することを特徴とする請求項１１〜１６いずれか記載のチャネル切替制御方法。
【請求項１９】
前記チャネル切替判断ステップにおいて、前記コンテンツを配信するサービスを除く移動通信サービスの許容受信局数の変化に応答して、前記基地局から前記移動局への通信チャネルの種別を切替えるか否かを判断することを特徴とする請求項１１〜１６いずれか記載のチャネル切替制御方法。
【請求項２０】
前記基地局から前記移動局への通信チャネルの種別の切替えは、前記コンテンツを配信するサービスにおける切替えであることを特徴とする請求項１１〜１９いずれか記載のチャネル切替制御方法。
【請求項２１】
基地局から移動局に対するコンテンツの配信のための電力量に基づいて前記基地局から前記移動局への通信チャネルの種別を切替えるか否かを判断するチャネル切替判断手段を含むことを特徴とするネットワーク。
【請求項２２】
前記基地局を制御する基地局制御局を含み、
前記チャネル切替判断手段は、前記配信に現在用いられている第１の通信チャネルの下り送信電力量と、前記第１の通信チャネルと種別の異なる第２の通信チャネルを前記基地局制御局の制御により前記基地局と前記移動局との間に設定し前記配信に用いた場合における前記第２の通信チャネルの下り送信電力量とに基づいて、前記第１の通信チャネルを前記第２の通信チャネルへ切替えるか否かを判断することを特徴とする請求項２１記載のネットワーク。
【請求項２３】
前記チャネル切替判断手段は、前記第２の通信チャネルの下り送信電力量が前記第１の通信チャネルの下り送信電力量より小である場合、前記第１の通信チャネルを前記第２の通信チャネルへ切替えると判断することを特徴とする請求項２２記載のネットワーク。
【請求項２４】
前記チャネル切替判断手段により前記第１の通信チャネルを前記第２の通信チャネルへ切替えると判断された場合、前記基地局制御局は、前記基地局を制御して、前記第１の通信チャネルから前記第２の通信チャネルへの切替えを行なっている間の前記基地局の下り送信電力の総和が上限値以下となるよう前記第１の通信チャネルを前記第２の通信チャネルへ切替えることを特徴とする請求項２２又は２３記載のネットワーク。
【請求項２５】
前記第１の通信チャネルは前記移動局に個別に割り当てられる個別チャネルであり、前記第２の通信チャネルは前記移動局に共通に割り当てられる共通チャネルであり、
前記基地局制御局は、前記個別チャネルのうち下り送信電力が小さいチャネルから順に前記共通チャネルに切替えてゆくことにより前記個別チャネルを前記共通チャネルへ切替えることを特徴とする請求項２４記載のネットワーク。
【請求項２６】
前記第１の通信チャネルは前記移動局に共通に割り当てられる共通チャネルであり、前記第２の通信チャネルは前記移動局に個別に割り当てられる個別チャネルであり、
前記基地局制御局は、前記個別チャネルを前記配信に用いた場合に下り送信電力が大きい個別チャネルを介して前記コンテンツを受信する移動局から順に個別チャネルを設定してゆくことにより前記共通チャネルを前記個別チャネルへ切替えることを特徴とする請求項２４記載のネットワーク。
【請求項２７】
前記チャネル切替判断手段は、前記移動局の数の変化に応答して、前記基地局から前記移動局への通信チャネルの種別を切替えるか否かを判断することを特徴とする請求項２１〜２６いずれか記載のネットワーク。
【請求項２８】
前記チャネル切替判断手段は、前記コンテンツを配信するサービスの許容受信局数の変化に応答して、前記基地局から前記移動局への通信チャネルの種別を切替えるか否かを判断することを特徴とする請求項２１〜２６いずれか記載のネットワーク。
【請求項２９】
前記チャネル切替判断手段は、前記コンテンツを配信するサービスを除く移動通信サービスの許容受信局数の変化に応答して、前記基地局から前記移動局への通信チャネルの種別を切替えるか否かを判断することを特徴とする請求項２１〜２６いずれか記載のネットワーク。
【請求項３０】
前記基地局から前記移動局への通信チャネルの種別の切替えは、前記コンテンツを配信するサービスにおける切替えであることを特徴とする請求項２１〜２９いずれか記載のネットワーク。
【請求項３１】
移動局へコンテンツを配信するネットワークのチャネル切替制御方法であって、
基地局から前記移動局に対する前記コンテンツの配信のための電力量に基づいて前記基地局から前記移動局への通信チャネルの種別を切替えるか否かを判断することを特徴とするチャネル切替制御方法。
【請求項３２】
前記ネットワークは前記基地局を制御する基地局制御局を含み、
前記配信に現在用いられている第１の通信チャネルの下り送信電力量と、前記第１の通信チャネルと種別の異なる第２の通信チャネルを前記基地局制御局の制御により前記基地局と前記移動局との間に設定し前記配信に用いた場合における前記第２の通信チャネルの下り送信電力量とに基づいて、前記第１の通信チャネルを前記第２の通信チャネルへ切替えるか否かを判断することを特徴とする請求項３１記載のチャネル切替制御方法。
【請求項３３】
前記第２の通信チャネルの下り送信電力量が前記第１の通信チャネルの下り送信電力量より小である場合、前記第１の通信チャネルを前記第２の通信チャネルへ切替えると判断することを特徴とする請求項３２記載のチャネル切替制御方法。
【請求項３４】
前記第１の通信チャネルを前記第２の通信チャネルへ切替えると判断された場合、前記基地局制御局は、前記基地局を制御して、前記第１の通信チャネルから前記第２の通信チャネルへの切替えを行なっている間の前記基地局の下り送信電力の総和が上限値以下となるよう前記第１の通信チャネルを前記第２の通信チャネルへ切替えることを特徴とする請求項３２又は３３記載のチャネル切替制御方法。
【請求項３５】
前記第１の通信チャネルは前記移動局に個別に割り当てられる個別チャネルであり、前記第２の通信チャネルは前記移動局に共通に割り当てられる共通チャネルであり、
前記基地局制御局は、前記個別チャネルのうち下り送信電力が小さいチャネルから順に前記共通チャネルに切替えてゆくことにより前記個別チャネルを前記共通チャネルへ切替えることを特徴とする請求項３４記載のチャネル切替制御方法。
【請求項３６】
前記第１の通信チャネルは前記移動局に共通に割り当てられる共通チャネルであり、前記第２の通信チャネルは前記移動局に個別に割り当てられる個別チャネルであり、
前記基地局制御局は、前記個別チャネルを前記配信に用いた場合に下り送信電力が大きい個別チャネルを介して前記コンテンツを受信する移動局から順に個別チャネルを設定してゆくことにより前記共通チャネルを前記個別チャネルへ切替えることを特徴とする請求項３４記載のチャネル切替制御方法。
【請求項３７】
前記移動局の数の変化に応答して、前記基地局から前記移動局への通信チャネルの種別を切替えるか否かを判断することを特徴とする請求項３１〜３６いずれか記載のチャネル切替制御方法。
【請求項３８】
前記コンテンツを配信するサービスの許容受信局数の変化に応答して、前記基地局から前記移動局への通信チャネルの種別を切替えるか否かを判断することを特徴とする請求項３１〜３６いずれか記載のチャネル切替制御方法。
【請求項３９】
前記コンテンツを配信するサービスを除く移動通信サービスの許容受信局数の変化に応答して、前記基地局から前記移動局への通信チャネルの種別を切替えるか否かを判断することを特徴とする請求項３１〜３６いずれか記載のチャネル切替制御方法。
【請求項４０】
前記基地局から前記移動局への通信チャネルの種別の切替えは、前記コンテンツを配信するサービスにおける切替えであることを特徴とする請求項３１〜３９いずれか記載のチャネル切替制御方法。
【発明の詳細な説明】
【技術分野】
【０００１】
本発明はコンテンツ配信システム、ネットワーク及びチャネル切替制御方法に関し、特にコンテンツの配信に用いる無線チャネルの種別を切り替えるコンテンツ配信システムに関する。
【背景技術】
【０００２】
同報サービスはいわゆる放送型サービスであって、各基地局のセル内に在圏する複数のユーザ端末に対して同一のコンテンツを同時に提供するサービスである。セル内の同報サービスを受けるユーザ端末はそのエリア内にいる限り、ある一定の品質（ＱｏＳ：ｑｕａｌｉｔｙ ｏｆ ｓｅｒｖｉｃｅ）でコンテンツを受信できるべきであり、そのためにはそれぞれのユーザ端末に対し充分な受信電力が供給されなければならない。
【０００３】
同報サービスは、ポイントツーマルチポイント（ＰｔＭ）方式またはポイントツーポイント（ＰｔＰ）方式により実現される。
【０００４】
ＰｔＭ方式は、基地局がセル境界まで届く単一のポイントツーマルチポイントチャネル（共通チャネル）を用いてセル内にいる全てのユーザ端末にコンテンツを配信する方式であり、共通チャネル方式とも呼ばれる。
【０００５】
ＰｔＭ方式では、単一の下り無線チャネルを使用しそれをユーザ端末が受信するという形態をとっているため、同報サービスを受けるたくさんのユーザ端末がコンテンツを同時に受信してもそのユーザ端末数にかかわらず基地局は当該無線チャネルの送信電力を増加させる必要がない。
【０００６】
したがって、ＰｔＭ方式は、セル内の同報サービスを受けるユーザ端末数が多い場合に無線資源の高い使用効率を実現することができる。同報サービスを行なう上で下り電力容量に余裕がある場合には、基地局はＰｔＭチャネルの下り送信電力をセル境界まで到達できるように調整することによってセル内の全ユーザ端末に対してコンテンツを配信することが可能である。一方、下り電力容量に余裕がない場合には、基地局は、ＰｔＭチャネルがセル境界まで到達できる下り送信電力より小さな値にＰｔＭチャネルの下り送信電力を調整する。したがって、この場合には、セル内の一部のユーザ端末に対してはコンテンツを配信することが可能であるが、例えばセル境界付近にいるユーザ端末はＰｔＭチャネルを受信することができずコンテンツを受信することができない。
【０００７】
ＰｔＰ方式は、基地局がセル内の同報サービスを受けるユーザ端末に対してそれぞれポイントツーポイントチャネル（個別チャネル）を用いて同一のコンテンツを配信する方式であり、個別チャネル方式とも呼ばれる。
【０００８】
ＰｔＰ方式は、セル内の同報サービスを受けるユーザ端末が比較的少ないときに用いられる。ＰｔＰ方式では、個別チャネルが用いられるため、基地局は送信電力制御により個別チャネルの下り送信電力を適切な値に設定することができる。したがって、ユーザ端末数が少ない場合には、これらユーザ端末にコンテンツを配信するための下り送信電力量を削減することできる。
【０００９】
上述したように同報サービスを実現する方式としてＰｔＭ方式とＰｔＰ方式とがあるが、ＰｔＭ方式及びＰｔＰ方式のどちらを使用するかを決定する必要がある。
【００１０】
非特許文献１には、セル内の同報サービスを受けるユーザ端末の数に基づいて、無線チャネルタイプ（ポイントツーマルチポイントまたはポイントツーポイント）を決定することが記載されている。
【００１１】
このようにセル内の同報サービスを受けるユーザ端末の数に基づいて無線チャネルタイプを決定する場合、ユーザ端末数が閾値以下であればＰｔＰチャネルを、ユーザ端末数が閾値より大であればＰｔＭチャネルを用いることが考えられる。
【００１２】
【非特許文献１】３ＧＰＰ ＴＲ ２３．８４６ １．２．０、２００２年９ 月、ｐ．１７
【発明の開示】
【発明が解決しようとする課題】
【００１３】
しかし、セル内の同報サービスを受けるユーザ端末の数に基づいてコンテンツの配信に用いられる無線チャネルタイプを決定する方法には、以下の問題がある。
【００１４】
例えばセル内の同報サービスを受けるユーザ端末に対して単一のＰｔＭチャネルでコンテンツが配信されている場合に、ユーザ端末の数が変化し閾値以下となると、コンテンツの配信に用いられる無線チャネルがＰｔＭチャネルからＰｔＰチャネルに切り替えられてＰｔＰチャネルでユーザ端末のそれぞれに対してコンテンツが配信されることとなる。しかし、ユーザ端末が全てセルの境界付近にいる場合、これらユーザ端末へのＰｔＰチャネルの送信電力の総和は、ＰｔＭチャネルの送信電力より大きくなってしまうことがあるという問題がある。
【００１５】
すなわち、ユーザ端末の数に基づいてコンテンツの配信に用いられる無線チャネルを切り替える場合、この切替によって、かえって無線資源の使用効率が悪くなってしまう場合があるという問題がある。
【００１６】
本発明の目的は、無線資源の使用効率を低下させてしまうことなく同報サービスに用いられる無線チャネルタイプを切り替えることができるコンテンツ配信システム、ネットワーク及びチャネル切替制御方法を提供することにある。
【課題を解決するための手段】
【００１７】
本発明によるコンテンツ配信システムは、基地局から移動局に対するコンテンツの配信のための電力量に基づいて前記基地局から前記移動局への通信チャネルの種別を切替えるか否かを判断するチャネル切替判断手段を含むことを特徴とする。
【００１８】
本発明によるチャネル切替制御方法は、移動局へコンテンツを配信するコンテンツ配信システムのチャネル切替制御方法であって、基地局から前記移動局に対する前記コンテンツの配信のための電力量に基づいて前記基地局から前記移動局への通信チャネルの種別を切替えるか否かを判断するチャネル切替判断ステップを含むことを特徴とする。
【００１９】
本発明によるネットワークは、基地局から移動局に対するコンテンツの配信のための電力量に基づいて前記基地局から前記移動局への通信チャネルの種別を切替えるか否かを判断するチャネル切替判断手段を含むことを特徴とする。
【００２０】
本発明によるチャネル切替制御方法は、移動局へコンテンツを配信するネットワークのチャネル切替制御方法であって、基地局から前記移動局に対する前記コンテンツの配信のための電力量に基づいて前記基地局から前記移動局への通信チャネルの種別を切替えるか否かを判断することを特徴とする。
【００２１】
本発明によれば、基地局から移動局に対するコンテンツの配信のための電力量に基づいて基地局から移動局への通信チャネルの種別を切替えるか否かが判断される。したがって、コンテンツの配信に用いられる通信チャネルの種別を切替えることにより、無線資源の使用効率が低下することを防止することができる。
【発明の効果】
【００２２】
本発明の効果は、無線資源の使用効率を低下させてしまうことなく同報サービスに用いられる無線チャネルタイプを切り替えることができることである。その理由は、基地局から移動局に対するコンテンツの配信のための電力量に基づいて基地局から移動局への無線チャネルタイプを切替えるか否かが判断されるためである。本方式によって、無線資源の状況に適した無線チャネルタイプが選択できる。
【発明を実施するための最良の形態】
【００２３】
以下、本発明の実施例について図面を参照して説明する。なお、以下に示す全ての図面において、同等部分は同一符号にて示している。
【００２４】
図１は本発明の実施例による移動通信システム（コンテンツ配信システム）の構成を示す図である。図１に示すように、本発明の実施例による移動通信システムは、移動局（ＭＳ）であるユーザ端末１０１〜１０３と、基地局装置（ＢＳ）２０１及び２０２と、基地局制御装置（ＲＮＣ：Ｒａｄｉｏ Ｎｅｔｗｏｒｋ Ｃｏｎｔｒｏｌｌｅｒ）３０１と、網接続装置４０１と、同報コンテンツサーバ５０１とを有している。
【００２５】
ユーザ端末１０１〜１０３は、移動通信サービスを受けるユーザが所持／携帯しているものであり、移動通信システムがカバーするエリア内において移動通信サービスを受けることができる。基地局装置２０１及び２０２は、移動通信システムがカバーするエリア内に設置される。
【００２６】
ユーザ端末１０１〜１０３が基地局装置２０１のセル内にいる場合、ユーザ端末１０１〜１０３は無線媒体を通じて基地局装置２０１と通信を行なうことができる。ユーザ端末１０１〜１０３が基地局装置２０２のセル内にいる場合、ユーザ端末１０１〜１０３は無線媒体を通じて基地局装置２０２と通信を行なうことができる。
【００２７】
基地局装置２０１及び２０２は基地局制御装置３０１を介して網接続装置４０１と接続され、基地局制御装置３０１は、受信信号を中継する機能と、各ユーザ端末と各基地局装置との間で無線信号を伝送するための無線チャネルを割り当てる機能を有する。基地局装置２０１及び２０２と基地局制御装置３０１はＲＡＮ（Ｒａｄｉｏ Ａｃｃｅｓｓ Ｎｅｔｗｏｒｋ）を構成する。
【００２８】
網接続装置４０１は例えば、公衆電話回線網、公衆データ回線網、私設回線網、各種サービス事業者等の施設（図示せず）に接続され、同報コンテンツサーバ５０１とも接続される。同報コンテンツサーバ５０１は、移動通信サービスの一つである同報サービスのための各種コンテンツを保持している。同報コンテンツサーバ５０１のコンテンツは各種サービス事業者に契約したユーザに対し配信されるものであり、網接続装置４０１、基地局制御装置３０１及び基地局装置２０１または２０２を経てユーザ端末１０１〜１０３に配信される。
【００２９】
同報サービスを受けるユーザ端末１０１〜１０３に対して同時に同一のコンテンツを配信するための無線チャネルタイプとして、ポイントツーマルチポイント（ＰｔＭ）とポイントツーポイント（ＰｔＰ）とがある。
【００３０】
本発明の実施例によれば、ユーザ端末１０１〜１０３がＰｔＰチャネル（個別チャネル）でコンテンツを受信している場合、これらＰｔＰチャネルの下り送信電力の総和と、単一のＰｔＭチャネル（共通チャネル）でユーザ端末１０１〜１０３にコンテンツを配信する場合のこのＰｔＭチャネルの下り送信電力とに基づいて、コンテンツを配信するための無線チャネルをＰｔＰチャネルから単一のＰｔＭチャネルに切替えるか否かが判断される。
【００３１】
ユーザ端末１０１〜１０３が単一のＰｔＭチャネルでコンテンツを受信している場合には、このＰｔＭチャネルの下り送信電力と、ＰｔＰチャネルでユーザ端末１０１〜１０３にコンテンツを配信する場合のこれらＰｔＰチャネルの下り送信電力の総和とに基づいて、コンテンツを配信するための無線チャネルをＰｔＭチャネルからＰｔＰチャネルに切替えるか否かが判断される。
【００３２】
無線チャネルタイプを切替える際、ユーザ端末１０１〜１０３が受信しているコンテンツが中断することのないよう切替を行なうか、あるいは中断を伴って切替を行なう。
【００３３】
コンテンツが中断することなく切替を行なう場合には、ユーザ端末１０１〜１０３に対するコンテンツの配信に現在用いられている無線チャネルを維持しつつ他方のタイプの無線チャネルを設定する。また、これら互いに異なるタイプの無線チャネルが共に設定されている期間にわたって、ユーザ端末１０１〜１０３にコンテンツを送信している基地局から当該基地局のセル内の全ユーザ端末（ユーザ端末１０１〜１０３及び同報サービスを受けていない図示せぬユーザ端末）への送信電力の総和が、当該基地局が当該セル内に放出できる送信電力の上限値を超えないよう切替を行なう。
【００３４】
コンテンツの中断を伴って切替を行なう場合、ユーザ端末１０１〜１０３に対するコンテンツの配信に現在用いられている無線チャネルを解除し、そして他方のタイプの無線チャネルを設定する。この場合にも、切替を行なっている期間にわたって基地局の下り送信電力の総和が上限値を超えないよう切替を行なう。
【００３５】
以下、基地局２０１のセル内の同報サービスを受ける複数のユーザ端末がＰｔＰチャネルでコンテンツを受信している場合における本発明の実施例による移動通信システムの動作について図面を参照して説明する。
【００３６】
図２及び３はＰｔＰチャネルで同報サービスが提供されている場合の本発明の実施例による移動通信システムの動作を示すフローチャートである。
【００３７】
図２及び３に示した処理手順は、基地局２０１のセル内のユーザ端末が同報サービスを受けることを要求すると、あるいは既に同報サービスを受けることを要求しているユーザ端末がセル内に入ってくると、起動される。すなわち、セル内のＰｔＰチャネルで同報サービスを受けるユーザ端末の数が増加すると起動される。
【００３８】
あるいは、予め定められた間隔で周期的に図２及び３に示した処理手順が起動されるようにしてもよい。周期的に図２及び３に示した処理手順を起動する理由は、ＰｔＰチャネルで同報サービスを受けるユーザ端末の数が変化しなくても、ユーザ端末の位置によりＰｔＰチャネルからＰｔＭチャネルへ切替えなければならない状況が生じ得るためである。例えば、ＰｔＰチャネルで同報サービスを受けるユーザ端末が移動してＰｔＰチャネルの下り送信電力が増加する場合（一般的にはユーザ端末が基地局アンテナから遠ざかるように移動する場合）に、上記状況が生じ得る。
【００３９】
あるいは、同報サービスの許容受信ユーザ数が減少させられると図２及び３に示した処理手順が起動されるようにしてもよい。移動通信システムの移動通信サービスの分類として、複数のユーザに対して同一のコンテンツを提供する同報サービスと、例えば電話サービスや電子メールサービスのように個々のユーザに対して個別に提供される非同報サービスとがある。同報サービスあるいは非同報サービスの許容受信ユーザ数を増加あるいは減少させようとする契機は、各々の無線エリアに在圏するユーザに対して提供されるサービスの配分によって決定される。同報サービスの許容受信ユーザ数が減少されると、同報サービスのために使用可能な送信電力量が少なく規制され、ＰｔＰチャネルでコンテンツ配信可能なユーザ端末数が少なくなる。したがって、図２及び３に示した処理手順が起動され、ＰｔＰチャネルからＰｔＭチャネルへ切替えるか否かが判断される。この場合、より多くの電力を要するユーザ端末の一部がコンテンツ受信不能となる場合も生じうる。
【００４０】
あるいは、非同報サービスの許容受信ユーザ数が増加させられると図２及び３に示した処理手順が起動されるようにしてもよい。非同報サービスの許容受信ユーザ数が増加されると、同報サービスのために使用可能な送信電力量が少なく規制され、ＰｔＰチャネルでコンテンツ配信可能なユーザ端末数が少なくなる。したがって、図２及び３に示した処理手順が起動され、ＰｔＰチャネルからＰｔＭチャネルへ切替えるか否かが判断される。この場合も、より多くの電力を要するユーザ端末の一部がコンテンツ受信不能となる場合も生じうる。あるいは、コンテンツ配信に現在用いられているＰｔＰチャネルの送信電力の総和が予め設定された値を超えると、図２及び３に示した処理手順が起動されるようにしてもよい。
【００４１】
上述した起動条件が満たされ図２及び３に示した処理手順が起動されると、基地局制御装置３０１は、基地局２０１のセル内の同報サービスを受ける複数のユーザ端末が使用している全てのＰｔＰチャネルの送信電力を認識するよう基地局２０１に求める。そして、基地局２０１は全てのＰｔＰチャネルの送信電力を認識し、基地局２０１または基地局制御装置３０１はこれらの総和（ＴＴＬ＿ＰｔＰ）を求める（ステップＳ１）。基地局２０１が認識した送信電力を基地局制御装置３０１に報告することにより、基地局制御装置３０１は総和（ＴＴＬ＿ＰｔＰ）を求めることができる。
【００４２】
基地局２０１または基地局制御装置３０１は、ＰｔＰチャネルの送信電力のうち最大電力を有するＰｔＰチャネル（以下、第１のＰｔＰチャネルと称する）でコンテンツを受信するユーザ端末（以下、第１のユーザ端末と称する）に対してコンテンツを配信するためにＰｔＭチャネルを用いた場合に必要とされる送信電力を推定する。すなわち、第１のユーザ端末に届くＰｔＭチャネルの送信電力（Ｍａｘ＿ＰｔＭ）を推定する（ステップＳ２）。ＰｔＭチャネルの送信電力（Ｍａｘ＿ＰｔＭ）は、第１のＰｔＰチャネルの送信電力及び第１のユーザ端末からの測定情報に基づいて推定することができる。第１のユーザ端末からの測定情報は、第１のＰｔＰチャネルの受信電力の情報であり、ステップＳ２における推定の際、第１のユーザ端末に第１のＰｔＰチャネルの受信電力を測定させて基地局２０１または基地局制御装置３０１に報告させる。
【００４３】
基地局２０１または基地局制御装置３０１は、ＰｔＰチャネルの送信電力の総和（ＴＴＬ＿ＰｔＰ）と、第１のユーザ端末に届くＰｔＭチャネルの送信電力（Ｍａｘ＿ＰｔＭ）とを比較する（ステップＳ３）。総和（ＴＴＬ＿ＰｔＰ）が送信電力（Ｍａｘ＿ＰｔＭ）よりも小であれば（ステップＳ３，Ｎｏ）、ＰｔＰチャネルからＰｔＭチャネルへ切り替える必要があるとは判断せず、このフローを終了し新たな起動条件が生ずるまで待つ。
【００４４】
一方、総和（ＴＴＬ＿ＰｔＰ）が送信電力（Ｍａｘ＿ＰｔＭ）以上であれば（ステップＳ３，Ｙｅｓ）、ＰｔＰチャネルからＰｔＭチャネルへ切り替えると判断し、基地局２０１または基地局制御装置３０１は、基地局２０１のセル内の電力マージン（Ｍｇｎ＿ＰＷ）を評価する（ステップＳ４）。電力マージン（Ｍｇｎ＿ＰＷ）は、基地局２０１がセル内に放出できる送信電力の上限値と、基地局２０１からセル内の全ユーザ端末（セル内の同報サービスを受けるユーザ端末及びセル内の非同報サービスを受けるユーザ端末）への送信電力の総和との差である。
【００４５】
基地局２０１または基地局制御装置３０１は、ＰｔＰチャネルの送信電力のうち最小電力（Ｍｉｎ＿ＰｔＰ）を有するＰｔＰチャネル（以下、第２のＰｔＰチャネルと称する）でコンテンツを受信するユーザ端末（以下、第２のユーザ端末と称する）に対してコンテンツを配信するためにＰｔＭチャネルを用いた場合に必要とされる送信電力を推定する。すなわち、第２のユーザ端末に届くＰｔＭチャネルの送信電力（Ｍｉｎ＿ＰｔＭ）を推定する（ステップＳ５）。送信電力（Ｍｉｎ＿ＰｔＭ）は、第２のＰｔＰチャネルの送信電力あるいは第２のユーザ端末からの測定情報に基づいて推定することができる。第２のユーザ端末からの測定情報は、第２のＰｔＰチャネルの受信電力の情報であり、ステップＳ５における推定の際、第２のユーザ端末に第２のＰｔＰチャネルの受信電力を測定させて基地局２０１または基地局制御装置３０１に報告させることによって得ることができる。
【００４６】
ここで、ステップＳ１で求めたＰｔＰチャネルの送信電力が端末の移動等により当初評価した値と異なっていることがあるので、ステップＳ５において全ＰｔＰチャネルの送信電力を再評価するようにしてもよい。
【００４７】
基地局２０１または基地局制御装置３０１は、電力マージン（Ｍｇｎ＿ＰＷ）と、第２のユーザ端末に届くＰｔＭチャネルの送信電力（Ｍｉｎ＿ＰｔＭ）とを比較する（ステップＳ６）。電力マージン（Ｍｇｎ＿ＰＷ）が第２のユーザ端末に届くＰｔＭチャネルの送信電力（Ｍｉｎ＿ＰｔＭ）以上であれば（ステップＳ６，Ｙｅｓ）、第２のユーザ端末においてコンテンツの受信が中断することのないよう第２のＰｔＰチャネルをＰｔＭチャネルに切替える処理が行なわれる（ステップＳ７）。このチャネル切替処理では、第２のＰｔＰチャネルを維持している状態で第２のユーザ端末に届くＰｔＭチャネルを確立し、そして第２のユーザ端末へコンテンツを配信するためのチャネルが第２のＰｔＰチャネルから確立されたＰｔＭチャネルに切替えられる。
【００４８】
一方、電力マージン（Ｍｇｎ＿ＰＷ）が第２のユーザ端末に届くＰｔＭチャネルの送信電力（Ｍｉｎ＿ＰｔＭ）より小であれば（ステップＳ６，Ｎｏ）、基地局２０１または基地局制御装置３０１は、電力マージン（Ｍｇｎ＿ＰＷ）に第２のＰｔＰチャネルの送信電力（Ｍｉｎ＿ＰｔＰ）を加えた値と、第２のユーザ端末に届くＰｔＭチャネルの送信電力（Ｍｉｎ＿ＰｔＭ）とを比較する（ステップＳ８）。“Ｍｇｎ＿ＰＷ＋Ｍｉｎ＿ＰｔＰ≧Ｍｉｎ＿ＰｔＭ”であれば（ステップＳ８，Ｙｅｓ）、コンテンツの中断を伴う第２のユーザ端末のチャネル切替処理が行なわれる（ステップＳ９）。このチャネル切替処理では、第２のＰｔＰチャネルを解除してから第２のユーザ端末に届くＰｔＭチャネルを確立し、第２のユーザ端末は確立されたＰｔＭチャネルでコンテンツを受信する。したがって、第２のＰｔＰチャネルが解除されてから第２のユーザ端末に届くＰｔＭチャネルが確立されるまでの間、第２のユーザ端末においてコンテンツの受信が中断する。
【００４９】
“Ｍｇｎ＿ＰＷ＋Ｍｉｎ＿ＰｔＰ＜Ｍｉｎ＿ＰｔＭ”であれば（ステップＳ８，Ｎｏ）、基地局２０１のセル内の同報サービスを受ける複数のユーザ端末に対するチャネル切替処理がコンテンツの中断を伴って行なわれる（ステップＳ１０）。このチャネル切替処理では、当該複数のユーザ端末に対するコンテンツ配信に用いられているＰｔＰチャネルを解除してから当該複数のユーザ端末全てに届くＰｔＭチャネルを確立し、当該複数のユーザ端末は確立されたＰｔＭチャネルでコンテンツを受信する。基地局２０１の下り送信電力量の総和が基地局２０１がセル１００内に放出できる送信電力の上限値を超えないように、このチャネル切替処理が行なわれることは勿論である。なお、ステップＳ１０におけるチャネル切替え処理がセル内の同報サービスを受けるユーザ端末の全てに対して行われるのであれば、ステップＳ１０におけるチャネル切替処理が行なわれる間に基地局２０１の下り送信電力量の総和が上限値を超えることはない。その理由は、第１のユーザ端末に届くＰｔＭチャネルの送信電力（Ｍａｘ＿ＰｔＭ）がＰｔＰチャネルの送信電力の総和（ＴＴＬ＿ＰｔＰ）以下であるからである（ステップＳ３参照）。
【００５０】
ステップＳ７、ステップＳ９、ステップＳ１０の後に、ステップＳ１１に移る。基地局２０１または基地局制御装置３０１は、基地局２０１のセル内の同報サービスを受ける全ユーザ端末が登録された対象リストを予め保持しており、前ステップにおいてＰｔＰチャネルからＰｔＭチャネルに切替えられたユーザ端末を対象リストから削除する（ステップＳ１１）。基地局２０１または基地局制御装置３０１は対象リストを基に、ＰｔＰチャネルからＰｔＭチャネルに切替えるべきユーザ端末が存在するか否かを判断する（ステップＳ１２）。
【００５１】
未だＰｔＰチャネルで同報サービスを受けるユーザ端末が存在するならば（ステップＳ１２，Ｙｅｓ）、ステップＳ４に移る。一方、同報サービスを受けるユーザ端末が全てＰｔＭチャネルでコンテンツを受信しているならば（ステップＳ１２，Ｎｏ）、このフローを終了し新たな起動条件が生ずるまで待つ。
【００５２】
なお、上述した対象リストには、セル内の同報サービスを受ける全ユーザ端末が登録されるのではなく、セル内の同報サービスを受けるユーザ端末の一部のみが登録されているようにしてもよい。この場合、セル内においてＰｔＰチャネルとＰｔＭチャネルとが混在する状態が一時的あるいは恒常的に生ずることになりうる。
【００５３】
また、ステップＳ６において電力マージン（Ｍｇｎ＿ＰＷ）が送信電力（Ｍｉｎ＿ＰｔＭ）より小であれば、ステップＳ８においてステップＳ９のチャネル切替処理及びステップＳ１０のチャネル切替処理のどちらを行うかが判断されるが、ステップＳ８及びＳ９の処理を行わないようにしてもよい。この場合、ステップＳ６において電力マージン（Ｍｇｎ＿ＰＷ）が送信電力（Ｍｉｎ＿ＰｔＭ）より小であれば、ステップＳ１０のチャネル切替処理が行われる。
【００５４】
また、ステップＳ３において総和（ＴＴＬ＿ＰｔＰ）が送信電力（Ｍａｘ＿ＰｔＭ）以上であれば（ステップＳ３，Ｙｅｓ）、ＰｔＰチャネルからＰｔＭチャネルへ切り替えると判断される。しかし、総和（ＴＴＬ＿ＰｔＰ）が送信電力（Ｍａｘ＿ＰｔＭ）以上であっても、コンテンツのセキュリティ的な属性によっては切り替えると判断しなくてもよい。例えば、コンテンツが有料コンテンツである場合、切替を行わないようにしてもよい。
【００５５】
次に、図３に示したステップＳ７のチャネル切替え処理について図面を参照して詳細に説明する。
【００５６】
図６は基地局２０１のセル１００内に位置するユーザ端末１０１〜１０３がＰｔＰチャネル１〜３でコンテンツを受信している状況を示す図であり、図１と同等部分は同一符号にて示している。図６において、基地局２０１はＰｔＰチャネル１を用いてコンテンツをユーザ端末１０１に送信し、ＰｔＰチャネル２を用いてコンテンツをユーザ端末１０２に送信し、ＰｔＰチャネル３を用いてコンテンツをユーザ端末１０３に送信している。なお、基地局２０１からユーザ端末１０１〜１０３へのＰｔＰチャネル１〜３の送信電力のうち、ＰｔＰチャネル１の送信電力が最も大きく、ＰｔＰチャネル３の送信電力が最も小さいものとする。
【００５７】
図１７は図６に示した状況において図３に示したステップＳ７のチャネル切替え処理が行われる場合の動作を示すシーケンスチャートである。図６に示した状況において図３に示したステップＳ７のチャネル切替え処理が行われる場合、図１７に示すように基地局制御装置３０１は、ユーザ端末１０３に到達するＰｔＭチャネル１３（図７参照）の送信を開始するよう基地局２０１にＰｔＭチャネル送信開始メッセージを送出する（ステップＡ１）。ＰｔＭチャネル送信開始メッセージの受信に応答して、基地局２０１は図７に示すようにＰｔＰチャネル３を維持しつつＰｔＭチャネル１３の送信を開始し、そして基地局制御装置３０１に対して送信開始完了メッセージを返す（ステップＡ２）。
【００５８】
送信開始完了メッセージの受信に応答して、基地局制御装置３０１は、ＰｔＰチャネル３ではなくＰｔＭチャネル１３でコンテンツを受信するよう指示するための切替え指示メッセージをユーザ端末１０３に送出する（ステップＡ３）。切替え指示メッセージの受信に応答して、ユーザ端末１０３はＰｔＭチャネル１３でコンテンツを受信する動作に入り、ＰｔＭチャネル１３でコンテンツを良好に受信できることを確認すると基地局制御装置３０１に対して切替完了メッセージを返す（ステップＡ４）。
【００５９】
基地局制御装置３０１は、切替完了メッセージの受信に応答して、ＰｔＰチャネル３を解除するためのＰｔＰチャネル送信停止メッセージを基地局２０１に送出し（ステップＡ５）、基地局２０１は送信停止メッセージを受信するとＰｔＰチャネル３の送信を停止する。これにより、ユーザ端末１０３に対するコンテンツの配信に用いられる無線チャネルがＰｔＰチャネル３からＰｔＭチャネル１３に切替えられ、図８に示すようにユーザ端末１０３はＰｔＭチャネル１３でコンテンツを受信する。
【００６０】
なお、ステップＡ３において切替指示メッセージを送出する前に、基地局２０１または基地局制御装置３０１が、ＰｔＰチャネル３でのコンテンツ受信を止めＰｔＭチャネル１３でコンテンツを受信することが可能であるかを問い合わせる問い合わせメッセージをユーザ端末１０３に送出し、ユーザ端末１０３から可能であると応答があった時点で切替指示メッセージを送出するようにしてもよい。
【００６１】
しかしながら、問い合わせメッセージを送った結果として、正常にコンテンツ受信を行うことが不可能であるという応答がユーザ端末１０３から返送されてきた場合は、ＰｔＰチャネル３の現在の送信電力及びユーザ端末１０３により測定されるＰｔＰチャネル３の現在の受信電力等に基づきＰｔＭチャネル１３の送信電力を再調整する。そして、ＰｔＭチャネル１３の送信電力を再調整した後、再び問い合わせメッセージをユーザ端末１０３に送出する。
【００６２】
上述したように、図８では、ユーザ端末１０１がＰｔＰチャネル１でコンテンツを受信し、ユーザ端末１０２がＰｔＰチャネル２でコンテンツを受信し、ユーザ端末１０３がＰｔＭチャネル１３でコンテンツを受信している状況が示されている。
【００６３】
図１８は図８に示した状況において図３に示したステップＳ７のチャネル切替え処理が行われる場合の動作を示すシーケンスチャートである。図８に示した状況において図３に示したステップＳ７のチャネル切替え処理が行われる場合、図１８に示すように基地局制御装置３０１は、ＰｔＭチャネル１３がユーザ端末１０２に到達するようＰｔＭチャネル１３の送信電力を増加させるためのＰｔＭチャネル送信電力増加メッセージを基地局２０１に送出する（ステップＡ６）。送信電力増加メッセージの受信に応答して、基地局２０１はＰｔＭチャネル１３の送信電力を増加させる。これにより、図９に示すようにユーザ端末１０２に到達するＰｔＭチャネル１２が生成される。なお、ユーザ端末１０２に到達するＰｔＭチャネル１２の送信電力は図２に示したステップＳ５において既に推定されているので、基地局２０１は当該推定された送信電力を基にＰｔＭチャネル１３の送信電力を増加させることによりＰｔＭチャネル１２を生成することができる。
【００６４】
基地局２０１はＰｔＭチャネル１２を生成すると、基地局制御装置３０１に対して送信電力増加完了メッセージを返す（ステップＡ７）。送信電力増加完了メッセージの受信に応答して、基地局制御装置３０１は、ＰｔＰチャネル２ではなくＰｔＭチャネル１２でコンテンツを受信するよう指示するための切替え指示メッセージをユーザ端末１０２に送出する（ステップＡ８）。切替え指示メッセージの受信に応答して、ユーザ端末１０２はＰｔＭチャネル１２でコンテンツを受信する動作に入り、ＰｔＭチャネル１２でコンテンツを正常に受信できることを確認すると基地局制御装置３０１に対して切替完了メッセージを返す（ステップＡ９）。
【００６５】
基地局制御装置３０１は、切替完了メッセージの受信に応答して、ＰｔＰチャネル２を解除するためのＰｔＰチャネル送信停止メッセージを基地局２０１に送出し（ステップＡ１０）、基地局２０１は送信停止メッセージを受信するとＰｔＰチャネル２の送信を停止する。これにより、ユーザ端末１０２に対するコンテンツの配信に用いられる無線チャネルがＰｔＰチャネル２からＰｔＭチャネル１２に切替えられ、図１０に示すようにユーザ端末１０２及び１０３はＰｔＭチャネル１２でコンテンツを受信する。
【００６６】
なお、ステップＡ８において切替指示メッセージを送出する前に、基地局２０１または基地局制御装置３０１が、ＰｔＰチャネル２でのコンテンツ受信を止めＰｔＭチャネル１２でコンテンツを受信することが可能であるかを問い合わせる問い合わせメッセージをユーザ端末１０２に送出し、ユーザ端末１０２から可能であると応答があった時点で切替指示メッセージを送出するようにしてもよい。
【００６７】
しかしながら、問い合わせメッセージを送った結果として、正常にコンテンツ受信を行うことが不可能であるという応答がユーザ端末１０２から返送されてきた場合は、ＰｔＰチャネル２の現在の送信電力及びユーザ端末１０２により測定されるＰｔＰチャネル２の現在の受信電力等に基づきＰｔＭチャネル１２の送信電力を再調整する。そして、ＰｔＭチャネル１２の送信電力を再調整した後、再び問い合わせメッセージをユーザ端末１０２に送出する。
【００６８】
上述したように、図１０では、ユーザ端末１０１のみがＰｔＰチャネル１でコンテンツを受信し、ユーザ端末１０２及び１０３がＰｔＭチャネル１２でコンテンツを受信している状況が示されている。
【００６９】
図１９は図１０に示した状況において図３に示したステップＳ７のチャネル切替え処理が行われる場合の動作を示すシーケンスチャートである。図１０に示した状況において図３に示したステップＳ７のチャネル切替え処理が行われる場合、図１９に示すように基地局制御装置３０１は、ＰｔＭチャネル１２がユーザ端末１０１に到達するようＰｔＭチャネル１２の送信電力を増加させるためのＰｔＭチャネル送信電力増加メッセージを基地局２０１に送出する（ステップＡ１１）。送信電力増加メッセージの受信に応答して、基地局２０１はＰｔＭチャネル１２の送信電力を増加させる。これにより、図１１に示すようにユーザ端末１０１に到達するＰｔＭチャネル１１が生成される。なお、ユーザ端末１０１に到達するＰｔＭチャネル１１の送信電力は図２に示したステップＳ５において既に推定されているので、基地局２０１は当該推定された送信電力を基にＰｔＭチャネル１２の送信電力を増加させることによりＰｔＭチャネル１１を生成することができる。
【００７０】
基地局２０１はＰｔＭチャネル１１を生成すると、基地局制御装置３０１に対して送信電力増加完了メッセージを返す（ステップＡ１２）。送信電力増加完了メッセージの受信に応答して、基地局制御装置３０１は、ＰｔＰチャネル１ではなくＰｔＭチャネル１１でコンテンツを受信するよう指示するための切替え指示メッセージをユーザ端末１０１に送出する（ステップＡ１３）。切替え指示メッセージの受信に応答して、ユーザ端末１０１はＰｔＭチャネル１１でコンテンツを受信する動作に入り、ＰｔＭチャネル１１でコンテンツを正常に受信できることを確認すると基地局制御装置３０１に対して切替完了メッセージを返す（ステップＡ１４）。
【００７１】
基地局制御装置３０１は、切替完了メッセージの受信に応答して、ＰｔＰチャネル１を解除するためのＰｔＰチャネル送信停止メッセージを基地局２０１に送出し（ステップＡ１５）、基地局２０１は送信停止メッセージを受信するとＰｔＰチャネル１の送信を停止する。これにより、ユーザ端末１０１に対するコンテンツの配信に用いられる無線チャネルがＰｔＰチャネル１からＰｔＭチャネル１１に切替えられ、図１２に示すようにユーザ端末１０１〜１０３の全てがＰｔＭチャネル１１でコンテンツを受信する。
【００７２】
なお、ステップＡ１３において切替指示メッセージを送出する前に、基地局２０１または基地局制御装置３０１が、ＰｔＰチャネル１でのコンテンツ受信を止めＰｔＭチャネル１１でコンテンツを受信することが可能であるかを問い合わせる問い合わせメッセージをユーザ端末１０１に送出し、ユーザ端末１０１から可能であると応答があった時点で切替指示メッセージを送出するようにしてもよい。
【００７３】
しかしながら、問い合わせメッセージを送った結果として、正常にコンテンツ受信を行うことが不可能であるという応答がユーザ端末１０１から返送されてきた場合は、ＰｔＰチャネル１の現在の送信電力及びユーザ端末１０１により測定されるＰｔＰチャネル１の現在の受信電力等に基づきＰｔＭチャネル１１の送信電力を再調整する。そして、ＰｔＭチャネル１１の送信電力を再調整した後、再び問い合わせメッセージをユーザ端末１０１に送出する。
【００７４】
図３に示したステップＳ７のチャネル切替え処理において、複数のユーザ端末に対するコンテンツの配信に現在用いられている複数のＰｔＰチャネルを一度にＰｔＭチャネルに切替えるようにしてもよい。複数のユーザ端末に対して図３に示したステップＳ７のチャネル切替え処理を行う場合、当該複数のＰｔＰチャネルを維持しつつＰｔＭチャネルを設定している間、基地局２０１の下り送信電力の総和が上限値を超えないことが必要であることは勿論である。
【００７５】
図６に示した状況においてユーザ端末１０２及び１０３に対して図３に示したステップＳ７のチャネル切替え処理が行われる場合について説明する。図２３は図６に示した状況においてユーザ端末１０２及び１０３に対して図３に示したステップＳ７のチャネル切替え処理が行われる場合の動作を示すシーケンスチャートである。なお、この処理は、図２に示したステップＳ５においてユーザ端末１０２に届くＰｔＭチャネルの送信電力を推定し、図３に示したステップＳ６において当該推定された送信電力とセル１００内のマージン電力（Ｍｇｎ＿ＰＷ）とを比較し、そして当該推定された送信電力がマージン電力（Ｍｇｎ＿ＰＷ）以下であることが確認された後に行なわれる。
【００７６】
図６に示した状況においてユーザ端末１０２及び１０３に対して図３に示したステップＳ７のチャネル切替え処理が行われる場合、図２３に示すように基地局制御装置３０１は、ユーザ端末１０２に到達するＰｔＭチャネル１２（図１３参照）の送信を開始するよう基地局２０１にＰｔＭチャネル送信開始メッセージを送出する（ステップＣ１）。ＰｔＭチャネル送信開始メッセージの受信に応答して、基地局２０１は図１３に示すようにＰｔＰチャネル２及び３を維持しつつＰｔＭチャネル１２の送信を開始し、そして基地局制御装置３０１に対して送信開始完了メッセージを返す（ステップＣ２）。
【００７７】
送信開始完了メッセージの受信に応答して、基地局制御装置３０１は、ＰｔＰチャネル２及び３ではなくＰｔＭチャネル１２でコンテンツを受信するよう指示するための切替え指示メッセージをユーザ端末１０２及び１０３に送出する（ステップＣ３及びＣ４）。ユーザ端末１０２及び１０３は切替え指示メッセージの受信に応答して、ＰｔＭチャネル１２でコンテンツを受信する動作に入り、ＰｔＭチャネル１２でコンテンツを正常に受信できることを確認すると基地局制御装置３０１に対して切替完了メッセージを返す（ステップＣ５及びＣ７）。
【００７８】
基地局制御装置３０１は、ユーザ端末１０２及び１０３からの切替完了メッセージの受信に応答して、ＰｔＰチャネル２及び３を解除するためのＰｔＰチャネル送信停止メッセージを基地局２０１に送出し（ステップＣ６及びＣ８）、基地局２０１は送信停止メッセージを受信するとＰｔＰチャネル２及び３の送信を停止する。これにより、ユーザ端末１０２及び１０３に対するコンテンツの配信に用いられる無線チャネルがＰｔＰチャネル２及び３からＰｔＭチャネル１２に切替えられ、図１０に示すようにユーザ端末１０２及び１０３はＰｔＭチャネル１２でコンテンツを受信する。
【００７９】
このように、複数のＰｔＰチャネルを一度にＰｔＭチャネルに切替えることにより、セル１００内の同報サービスに用いられている全てのＰｔＰチャネルをより早くＰｔＭチャネルに切替えることができる。
【００８０】
次に、図６に示した状況においてセル１００内の同報サービスを受けるユーザ端末１０１〜１０３に対して図３に示したステップＳ７のチャネル切替え処理が行われる場合について説明する。なお、この処理は、図３に示したステップＳ６においてセル１００内のマージン電力（Ｍｇｎ＿ＰＷ）と、ステップＳ２において推定された送信電力（Ｍａｘ＿ＰｔＭ）であるユーザ端末１に到達するＰｔＭチャネル１１（図１４参照）の送信電力とを比較し、そして送信電力（Ｍａｘ＿ＰｔＭ）がマージン電力（Ｍｇｎ＿ＰＷ）以下であることが確認された後に行なわれる。
【００８１】
この処理は図２３に示した手順を若干変形することにより実現される。図６に示した状況においてユーザ端末１０１〜１０３に対して図３に示したステップＳ７のチャネル切替え処理が行われる場合、基地局制御装置３０１はステップＣ１において、ユーザ端末１０１に到達するＰｔＭチャネル１１（図１４参照）の送信を開始するよう基地局２０１に送信開始メッセージを送出する。したがって、基地局２０１は図１４に示すようにＰｔＰチャネル１〜３を維持しつつＰｔＭチャネル１１の送信を開始することになる。
【００８２】
基地局制御装置３０１は、ステップＣ３及びＣ４において切替え指示メッセージを送出する際に、ＰｔＰチャネル１ではなくＰｔＭチャネル１１でコンテンツを受信するよう指示するための切替え指示メッセージもユーザ端末１０１に送出する。したがって、ユーザ端末１０１〜１０３は、ＰｔＭチャネル１１でコンテンツを受信する動作に入り、ユーザ端末１０１は、ユーザ端末１０２及び１０３と同様に、ＰｔＭチャネル１１でコンテンツを正常に受信できることを確認すると基地局制御装置３０１に対して切替完了メッセージを返す。
【００８３】
基地局制御装置３０１は、ステップＣ６及びＣ８においてＰｔＰチャネル２及び３を解除するための送信停止メッセージを基地局２０１に送出すると共に、ユーザ端末１０１からの切替完了メッセージの受信に応答して、ＰｔＰチャネル１を解除するための送信停止メッセージを基地局２０１に送出する。したがって、基地局２０１はＰｔＰチャネル１〜３の送信を停止する。これにより、ユーザ端末１０１〜１０３に対するコンテンツの配信に用いられる無線チャネルがＰｔＰチャネル１〜３からＰｔＭチャネル１１に切替えられ、図１２に示すようにユーザ端末１０１〜１０３はＰｔＭチャネル１１でコンテンツを受信する。
【００８４】
なお、基地局２０１がＰｔＰチャネルを維持しつつＰｔＭチャネルの送信を始める場合、上述したようにＰｔＭチャネルは予め推定された送信電力で送信されるが、予め推定された送信電力より若干の余裕を持った電力でＰｔＭチャネルを送信するようにしてもよい。これにより、当該ＰｔＭチャネルを受信すべきユーザ端末が基地局２０１から遠ざかるように移動することにより当該ＰｔＭチャネルを受信できないということを防止することができる。また、当該ＰｔＭチャネルでコンテンツを受信するユーザ端末が受信データにエラーを検出すると、エラー検出通知を基地局２０１に送出し、基地局２０１がエラー検出通知に応答して当該ＰｔＭチャネルの送信電力を増加させるようにしてもよい。
【００８５】
例えば、ユーザ端末１０１〜１０３の全てに対する図３に示したステップＳ７のチャネル切替え処理において、基地局２０１は図１４に示すようにＰｔＰチャネル１〜３を維持しつつＰｔＭチャネル１１の送信を開始するのではなく、図１６に示すようにＰｔＭチャネル１１より送信電力が大きいＰｔＭチャネル１０の送信を開始するようにしてもよい。この場合、ユーザ端末１０１〜１０３に対するコンテンツの配信に用いられる無線チャネルがＰｔＰチャネル１〜３からＰｔＭチャネル１０に切替えられ、図１５に示すようにユーザ端末１０１〜１０３はＰｔＭチャネル１０でコンテンツを受信することになる。
【００８６】
図１０に示した状況において図３に示したステップＳ７のチャネル切替え処理が行われることにより、またはユーザ端末１０１〜１０３の全てに対して図３に示したステップＳ７のチャネル切替え処理が行われることにより、図１２に示すようにユーザ端末１０１〜１０３がＰｔＭチャネル１１でコンテンツを受信することになった後、基地局２０１がＰｔＭチャネル１１の送信電力を増加させ、図１５に示すようにＰｔＭチャネル１０を生成するようにしてもよい。このようにセル１００境界付近まで到達するＰｔＭチャネル１０を生成しても、基地局２０１の下り送信電力の総和が上限値を超えないことが必要であることは勿論である。
【００８７】
次に、図３に示したステップＳ９のチャネル切替え処理について図面を参照して詳細に説明する。
【００８８】
図２０は図６に示した状況において図３に示したステップＳ９のチャネル切替え処理が行われる場合の動作を示すシーケンスチャートである。図６に示した状況において図３に示したステップＳ９のチャネル切替え処理が行われる場合、図２０に示すように基地局制御装置３０１は、ＰｔＰチャネル３でのコンテンツ受信を中止しユーザ端末１０３に到達するＰｔＭチャネル１３（図８参照）でコンテンツを受信する準備を行なうようユーザ端末１０３に指示するための切替準備指示メッセージをユーザ端末１０３に送出する（ステップＢ１）。切替準備指示メッセージにはＰｔＭチャネル１３が受信可能となる時刻情報が含まれている。ユーザ端末１０３は切替準備指示メッセージを受信すると、切替準備完了メッセージを基地局制御装置３０１に返す（ステップＢ２）。
【００８９】
基地局制御装置３０１は、切替準備完了メッセージの受信に応答して、ＰｔＰチャネル３を解除するための送信停止メッセージを基地局２０１に送出し（ステップＢ３）、基地局２０１は送信停止メッセージを受信するとＰｔＰチャネル３の送信を停止する。そして、基地局２０１は送信停止完了メッセージを基地局制御装置３０１に返す（ステップＢ４）。
【００９０】
基地局制御装置３０１は送信停止完了メッセージを受信すると、ユーザ端末１０３に到達するＰｔＭチャネル１３の送信を開始するよう指示するための送信開始メッセージを基地局２０１に送出する（ステップＢ５）。送信開始メッセージの受信に応答して、基地局２０１は図８に示すようにＰｔＭチャネル１３の送信を開始し、そして基地局制御装置３０１に対して送信開始完了メッセージを返す（ステップＢ６）。
【００９１】
ユーザ端末１０３は、切替準備指示メッセージにより指定された時刻にＰｔＭチャネル１３でコンテンツの受信動作を開始する。これにより、ユーザ端末１０３に対するコンテンツの配信に用いられる無線チャネルがＰｔＰチャネル３からＰｔＭチャネル１３に切替えられ、図８に示すようにユーザ端末１０３はＰｔＭチャネル１３でコンテンツを受信するようになる。
【００９２】
図２１は図８に示した状況において図３に示したステップＳ９のチャネル切替え処理が行われる場合の動作を示すシーケンスチャートである。図８に示した状況において図３に示したステップＳ９のチャネル切替え処理が行われる場合、図２１に示すように基地局制御装置３０１は、ＰｔＰチャネル２でのコンテンツ受信を中止しユーザ端末１０２に到達するＰｔＭチャネル１２（図１０参照）でコンテンツを受信する準備を行なうよう指示するための切替準備指示メッセージをユーザ端末１０２に送出する（ステップＢ７）。切替準備指示メッセージにはＰｔＭチャネル１２が受信可能となる時刻情報が含まれている。ユーザ端末１０２は切替準備指示メッセージを受信すると、切替準備完了メッセージを基地局制御装置３０１に返す（ステップＢ８）。
【００９３】
基地局制御装置３０１は、切替準備完了メッセージの受信に応答して、ＰｔＰチャネル２を解除するための送信停止メッセージを基地局２０１に送出し（ステップＢ９）、基地局２０１は送信停止メッセージを受信するとＰｔＰチャネル２の送信を停止する。そして、基地局２０１は送信停止完了メッセージを基地局制御装置３０１に返す（ステップＢ１０）。
【００９４】
基地局制御装置３０１は送信停止完了メッセージを受信すると、ＰｔＭチャネル１３がユーザ端末１０２に到達するようＰｔＭチャネル１３の送信電力を増加させるための送信電力増加メッセージを基地局２０１に送出する（ステップＢ１１）。送信電力増加メッセージの受信に応答して、基地局２０１はＰｔＭチャネル１３の送信電力を増加させる。これにより、図１０に示すようにユーザ端末１０２に到達するＰｔＭチャネル１２が生成される。そして、基地局２０１は、基地局制御装置３０１に対して送信電力増加完了メッセージを返す（ステップＢ１２）。
【００９５】
ユーザ端末１０２は、切替準備指示メッセージにより指定された時刻にＰｔＭチャネル１２でコンテンツの受信動作を開始する。これにより、ユーザ端末１０２に対するコンテンツの配信に用いられる無線チャネルがＰｔＰチャネル２からＰｔＭチャネル１２に切替えられ、図１０に示すようにユーザ端末１０２及び１０３はＰｔＭチャネル１２でコンテンツを受信するようになる。
【００９６】
図２２は図１０に示した状況において図３に示したステップＳ９のチャネル切替え処理が行われる場合の動作を示すシーケンスチャートである。図１０に示した状況において図３に示したステップＳ９のチャネル切替え処理が行われる場合、図２２に示すように基地局制御装置３０１は、ＰｔＰチャネル１でのコンテンツ受信を中止しユーザ端末１０１に到達するＰｔＭチャネル１１（図１２参照）でコンテンツを受信する準備を行なうよう指示するための切替準備指示メッセージをユーザ端末１０１に送出する（ステップＢ１３）。切替準備指示メッセージにはＰｔＭチャネル１１が受信可能となる時刻情報が含まれている。ユーザ端末１０１は切替準備指示メッセージを受信すると、切替準備完了メッセージを基地局制御装置３０１に返す（ステップＢ１４）。
【００９７】
基地局制御装置３０１は、切替準備完了メッセージの受信に応答して、ＰｔＰチャネル１を解除するための送信停止メッセージを基地局２０１に送出し（ステップＢ１５）、基地局２０１は送信停止メッセージを受信するとＰｔＰチャネル１の送信を停止する。そして、基地局２０１は送信停止完了メッセージを基地局制御装置３０１に返す（ステップＢ１６）。
【００９８】
基地局制御装置３０１は送信停止完了メッセージを受信すると、ＰｔＭチャネル１２がユーザ端末１０１に到達するようＰｔＭチャネル１２の送信電力を増加させるための送信電力増加メッセージを基地局２０１に送出する（ステップＢ１７）。送信電力増加メッセージの受信に応答して、基地局２０１はＰｔＭチャネル１２の送信電力を増加させる。これにより、図１２に示すようにユーザ端末１０１に到達するＰｔＭチャネル１１が生成される。そして、基地局２０１は、基地局制御装置３０１に対して送信電力増加完了メッセージを返す（ステップＢ１８）。
【００９９】
ユーザ端末１０１は、切替準備指示メッセージにより指定された時刻にＰｔＭチャネル１１でコンテンツの受信動作を開始する。これにより、ユーザ端末１０１に対するコンテンツの配信に用いられる無線チャネルがＰｔＰチャネル１からＰｔＭチャネル１１に切替えられ、図１２に示すようにユーザ端末１０１〜１０３はＰｔＭチャネル１１でコンテンツを受信するようになる。
【０１００】
次に、図３に示したステップＳ１０のチャネル切替え処理について図面を参照して詳細に説明する。
【０１０１】
図２４は図６に示した状況において図３に示したステップＳ１０のチャネル切替処理 （ＰｔＰチャネル２及び３を一度にＰｔＭチャネルに切替える処理）が行われる場合の動作を示すシーケンスチャートである。図６に示した状況において図３に示したステップＳ１０のチャネル切替え処理が行われる場合、図２４に示すように基地局制御装置３０１は、ＰｔＰチャネル２及び３でのコンテンツ受信を中止しユーザ端末１０２に到達するＰｔＭチャネル１２（図１０参照）でコンテンツを受信する準備を行なうよう指示するための切替準備指示メッセージをユーザ端末１０２及び１０３に送出する（ステップＤ１及びＤ２）。切替準備指示メッセージの各々にはＰｔＭチャネル１２が受信可能となる時刻情報が含まれている。ユーザ端末１０２及び１０３は切替準備指示メッセージを受信すると、切替準備完了メッセージを基地局制御装置３０１に返す（ステップＤ３及びＤ６）。
【０１０２】
基地局制御装置３０１は、ユーザ端末１０２及び１０３からの切替準備完了メッセージの受信に応答して、ＰｔＰチャネル２及び３を解除するための送信停止メッセージを基地局２０１に送出し（ステップＤ４及びＤ７）、基地局２０１はこれら送信停止メッセージを受信するとＰｔＰチャネル２及び３の送信を停止する。そして、基地局２０１は送信停止完了メッセージを基地局制御装置３０１に返す（ステップＤ５及びＤ８）。
【０１０３】
基地局制御装置３０１はこれら送信停止完了メッセージを受信すると、ユーザ端末１０２に到達するＰｔＭチャネル１２の送信を開始するよう指示するための送信開始メッセージを基地局２０１に送出する（ステップＤ９）。送信開始メッセージの受信に応答して、基地局２０１は図１０に示すようにＰｔＭチャネル１２の送信を開始し、そして基地局制御装置３０１に対して送信開始完了メッセージを返す（ステップＤ１０）。
【０１０４】
ユーザ端末１０２及び１０３は、切替準備指示メッセージにより指定された時刻にＰｔＭチャネル１２でコンテンツの受信動作を開始する。これにより、ユーザ端末１０２及び１０３に対するコンテンツの配信に用いられる無線チャネルがＰｔＰチャネル２及び３からＰｔＭチャネル１２に切替えられ、図１０に示すようにユーザ端末１０２及び１０３はＰｔＭチャネル１２でコンテンツを受信するようになる。
【０１０５】
図２４では、ＰｔＰチャネル２及び３を解除してＰｔＭチャネル１２を確立するようにしているが、ＰｔＰチャネル１〜３を解除してユーザ端末１に到達するＰｔＭチャネル１１を確立するようにしてもよいことは勿論である。この場合、図６に示す状況においてＰｔＰチャネル１〜３を解除し、そして図１２に示すようにユーザ端末１に到達するＰｔＭチャネル１１を確立しユーザ端末１０１〜１０３はＰｔＭチャネル１１でコンテンツを受信する。
【０１０６】
次に、基地局２０１のセル内の同報サービスを受ける複数のユーザ端末が単一のＰｔＭチャネルでコンテンツを受信している場合における本発明の実施例による移動通信システムの動作について図面を参照して説明する。
【０１０７】
図４及び５はＰｔＭチャネルで同報サービスが提供されている場合の本発明の実施例による移動通信システムの動作を示すフローチャートである。
【０１０８】
図４及び５に示した処理手順は、基地局２０１のセル内の同報サービスを受けるユーザ端末が同報サービスを受けることを解除するか、あるいは基地局２０１のセル内の同報サービスを受けるユーザ端末が当該セルから外に脱出すると、起動される。すなわち、セル内のＰｔＭチャネルで同報サービスを受けるユーザ端末の数が減少すると起動される。例えば、同報サービスを受けるユーザ端末のセルへの進入／脱出を計測することにより、または必要に応じユーザ端末に対しその所在を報告するよう要求する要求信号を送出してその所在を報告させることにより、基地局２０１及び基地局制御装置３０１は当該数を認識することができる。
【０１０９】
あるいは、予め定められた間隔で周期的に図４及び５に示した処理手順が起動されるようにしてもよい。周期的に図４及び５に示した処理手順を起動する理由は、ＰｔＭチャネルで同報サービスを受けるユーザ端末の数が変化しなくても、ユーザ端末の位置によりＰｔＭチャネルからＰｔＰチャネルへ切替えなければならない状況が生じ得るためである。例えば、ＰｔＭチャネルで同報サービスを受けるユーザ端末が当初の位置より送信電力を必要としない位置に移動した場合（一般的にはユーザ端末が基地局アンテナに近づいてきた場合）に、上記状況が生じ得る。
【０１１０】
あるいは、同報サービスの許容受信ユーザ数が増加させられると図４及び５に示した処理手順が起動されるようにしてもよい。同報サービスの許容受信ユーザ数が増加されると、同報サービスのために使用可能な送信電力量が大きくなり、ＰｔＰチャネルでコンテンツ配信可能なユーザ端末数が多くなる。したがって、図４及び５に示した処理手順が起動され、ＰｔＭチャネルからＰｔＰチャネルへ切替えるか否かが判断される。
【０１１１】
あるいは、非同報サービスの許容受信ユーザ数が減少させられると図４及び５に示した処理手順が起動されるようにしてもよい。非同報サービスの許容受信ユーザ数が減少させられると、同報サービスのために使用可能な送信電力量が大きくなり、ＰｔＰチャネルでコンテンツ配信可能なユーザ端末数が多くなる。したがって、図４及び５に示した処理手順が起動され、ＰｔＭチャネルからＰｔＰチャネルへ切替えるか否かが判断される。
【０１１２】
上述した起動条件が満たされ図４及び５に示した処理手順が起動されると、基地局２０１または基地局制御装置３０１は、基地局２０１のセル内のＰｔＭチャネルで同報サービスを受ける複数のユーザ端末の全てに対してＰｔＰチャネルでコンテンツを配信する場合のＰｔＰチャネルの送信電力を推定し、これらの総和（ＴＴＬ＿ＰｔＰ）を求める（ステップＴ１）。これらＰｔＰチャネルの送信電力は、基地局２０１から当該複数のユーザ端末へ送信されている無線チャネルの受信電力を当該複数のユーザ端末に測定させ測定結果を基地局２０１または基地局制御装置３０１に報告させることによって、推定することができる。上記無線チャネルは、コンテンツ配信に現在用いられているＰｔＭチャネル、または当該複数のユーザ端末がそれぞれ受信している止まり木チャネル等である。当該複数のユーザ端末からの測定結果の通知は、基地局２０１または基地局制御装置３０１から送出される測定要求指示の受信に応答して受動的に行なわれるようにしてもよいし、当該複数のユーザ端末が自発的あるいは周期的に行うようにしてもよい。
【０１１３】
そして、基地局２０１または基地局制御装置３０１は、当該複数のユーザ端末に対するコンテンツ配信に現在用いられているＰｔＭチャネルの送信電力（Ｍａｘ＿ＰＴＭ）を評価する（ステップＴ２）。基地局２０１または基地局制御装置３０１は、ステップＴ１において求められた総和（ＴＴＬ＿ＰｔＰ）と、ステップＴ２において求められた送信電力（Ｍａｘ＿ＰｔＭ）とを比較する（ステップＴ３）。総和（ＴＴＬ＿ＰｔＰ）が送信電力（Ｍａｘ＿ＰｔＭ）以上であれば（ステップＴ３，Ｎｏ）、ＰｔＭチャネルからＰｔＰチャネルへ切り替える必要があるとは判断せず、このフローを終了し新たな起動条件が生ずるまで待つ。
【０１１４】
一方、総和（ＴＴＬ＿ＰｔＰ）が送信電力（Ｍａｘ＿ＰｔＭ）より小であれば（ステップＴ３，Ｙｅｓ）、ＰｔＭチャネルからＰｔＰチャネルへ切り替えると判断し、基地局２０１または基地局制御装置３０１は、基地局２０１のセル内の電力マージン（Ｍｇｎ＿ＰＷ）を評価する（ステップＴ４）。電力マージン（Ｍｇｎ＿ＰＷ）は、基地局２０１がセル内に放出できる送信電力の上限値と、基地局２０１からセル内の全ユーザ端末（セル内の同報サービスを受けるユーザ端末及びセル内の非同報サービスを受けるユーザ端末）への送信電力の総和との差である。
【０１１５】
基地局２０１または基地局制御装置３０１は、ステップＴ１において推定されたＰｔＰチャネルの送信電力のうちの最大電力（Ｍａｘ＿ＰｔＰ）を有するＰｔＰチャネル（以下、第１のＰｔＰチャネルと称する）を特定する（ステップＴ５）。ステップＴ５において、ＰｔＰチャネルの送信電力を再び推定して最大電力（Ｍａｘ＿ＰｔＰ）を有する第１のＰｔＰチャネルを特定するようにしてもよい。
【０１１６】
基地局２０１または基地局制御装置３０１は、電力マージン（Ｍｇｎ＿ＰＷ）と、第１のＰｔＰチャネルの推定された送信電力（Ｍａｘ＿ＰｔＰ）とを比較する（ステップＴ６）。電力マージン（Ｍｇｎ＿ＰＷ）が第１のＰｔＰチャネルの推定された送信電力（Ｍａｘ＿ＰｔＰ）以上であれば（ステップＴ６，Ｙｅｓ）、当該複数のユーザ端末のうち第１のＰｔＰチャネルでコンテンツを受信すべきユーザ端末（以下、第１のユーザ端末と称する）においてコンテンツの受信が中断することのないよう第１のユーザ端末に対するコンテンツの配信に現在用いられているＰｔＭチャネルを第１のＰｔＰチャネルに切替える処理が行なわれる（ステップＴ７）。このチャネル切替処理では、ＰｔＭチャネルを維持している状態で第１のＰｔＰチャネルを確立し、そして第１のユーザ端末へコンテンツを配信するためのチャネルがＰｔＭチャネルから確立された第１のＰｔＰチャネルに切替えられる。
【０１１７】
一方、電力マージン（Ｍｇｎ＿ＰＷ）が第１のＰｔＰチャネルの推定された送信電力 （Ｍａｘ＿ＰｔＰ）より小であれば（ステップＴ６，Ｎｏ）、基地局２０１または基地局制御装置３０１は、ステップＴ１において推定されたＰｔＰチャネルの送信電力のうちの二番目に大きな送信電力を有するＰｔＰチャネル（以下、第２のＰｔＰチャネルと称する）を受信すべきユーザ端末（以下、第２のユーザ端末と称する）に到達するＰｔＭチャネルの送信電力（２ｎｄ＿ＰｔＭ）を推定する（ステップＴ８）。第２のユーザ端末に到達するＰｔＭチャネルの送信電力（２ｎｄ＿ＰｔＭ）は、当該複数のユーザ端末に対するコンテンツ配信に現在用いられているＰｔＭチャネルの送信電力及び第２のユーザ端末におけるこのＰｔＭチャネルまたは止まり木チャネルの受信電力に基づいて推定することができる。
【０１１８】
基地局２０１または基地局制御装置３０１は、当該複数のユーザ端末に対するコンテンツ配信に現在用いられているＰｔＭチャネルの送信電力（Ｍａｘ＿ＰＴＭ）と第２のユーザ端末に到達するＰｔＭチャネルの送信電力（２ｎｄ＿ＰｔＭ）との差を電力マージン （Ｍｇｎ＿ＰＷ）に加えた値と、第１のＰｔＰチャネルの送信電力（Ｍａｘ＿ＰｔＰ）とを比較する（ステップＴ９）。“Ｍｇｎ＿ＰＷ＋（Ｍａｘ＿ＰＴＭ−２ｎｄ＿ＰｔＭ）≧Ｍａｘ＿ＰｔＰ”であれば（ステップＴ９，Ｙｅｓ）、コンテンツの中断を伴う第１のユーザ端末のチャネル切替処理が行なわれる（ステップＴ１０）。このチャネル切替処理では、当該複数のユーザ端末に対するコンテンツ配信に現在用いられているＰｔＭチャネルの送信電力を第２のユーザ端末には到達するが第１のユーザ端末には到達不能となるよう減少させ、その後第１のＰｔＰチャネルを確立し、第１のユーザ端末は確立された第１のＰｔＰチャネルでコンテンツを受信する。したがって、第２のユーザ端末に到達するＰｔＭチャネルが生成されてから第１のＰｔＰチャネルが確立されるまでの間、第１のユーザ端末においてコンテンツの受信が中断する。
【０１１９】
“Ｍｇｎ＿ＰＷ＋（Ｍａｘ＿ＰＴＭ−２ｎｄ＿ＰｔＭ）＜Ｍａｘ＿ＰｔＰ”であれば （ステップＴ９，Ｎｏ）、基地局２０１のセル内の同報サービスを受ける複数のユーザ端末に対するチャネル切替処理がコンテンツの中断を伴って行なわれる（ステップＴ１１）。このチャネル切替処理では、当該複数のユーザ端末に対するコンテンツ配信に用いられているＰｔＭチャネルの送信電力を当該複数のユーザ端末に到達不能となるよう減少させ又はＰｔＭチャネルを解除してから当該複数のユーザ端末と基地局２０１との間にＰｔＰチャネルを確立し、当該複数のユーザ端末は確立されたＰｔＰチャネルでコンテンツを受信する。基地局２０１の下り送信電力量の総和が基地局２０１がセル１００内に放出できる送信電力の上限値を超えないように、このチャネル切替処理が行なわれることは勿論である。なお、ステップＴ１１におけるチャネル切替え処理がセル内の同報サービスを受ける全ユーザ端末に対して行われるのであれば、ステップＴ１１におけるチャネル切替処理が行なわれる間に基地局２０１の下り送信電力量の総和が上限値を超えることはない。その理由は、ステップＴ１において求められた総和（ＴＴＬ＿ＰｔＰ）がステップＴ２において求められた送信電力（Ｍａｘ＿ＰｔＭ）より小であるからである（ステップＴ３参照）。
【０１２０】
ステップＴ７、ステップＴ１０、ステップＴ１１の後に、ステップＴ１２に移る。基地局２０１または基地局制御装置３０１は、基地局２０１のセル内の同報サービスを受ける全ユーザ端末が登録された対象リストを予め保持しており、前ステップにおいてＰｔＰチャネルに切替えられたユーザ端末を対象リストから削除する（ステップＴ１２）。基地局２０１または基地局制御装置３０１は対象リストを基に、ＰｔＰチャネルに切替えるべきユーザ端末が存在するか否かを判断する（ステップＴ１３）。
【０１２１】
未だＰｔＭチャネルで同報サービスを受けるユーザ端末が存在するならば（ステップＴ１３，Ｙｅｓ）、ステップＴ４に移る。一方、同報サービスを受ける全ユーザ端末がＰｔＰチャネルでコンテンツを受信しているならば（ステップＴ１３，Ｎｏ）、このフローを終了し新たな起動条件が生ずるまで待つ。
【０１２２】
なお、上述した対象リストには、セル内の同報サービスを受ける全ユーザ端末が登録されるのではなく、セル内の同報サービスを受けるユーザ端末の一部のみが登録されているようにしてもよい。この場合、セル内においてＰｔＭチャネルとＰｔＰチャネルとが混在する状態が一時的あるいは恒常的に生ずることになりうる。
【０１２３】
また、ステップＴ６において電力マージン（Ｍｇｎ＿ＰＷ）が送信電力（Ｍａｘ＿ＰｔＰ）より小であれば、ステップＴ９においてステップＴ１０のチャネル切替処理及びステップＴ１１のチャネル切替処理のどちらを行うかが判断されるが、ステップＴ８〜Ｔ１０の処理を行わないようにしてもよい。この場合、ステップＴ６において電力マージン（Ｍｇｎ＿ＰＷ）が送信電力（Ｍａｘ＿ＰｔＰ）より小であれば、ステップＴ１１のチャネル切替処理が行われる。
【０１２４】
また、ステップＴ３において総和（ＴＴＬ＿ＰｔＰ）が送信電力（Ｍａｘ＿ＰｔＭ）以上であれば、ＰｔＭチャネルからＰｔＰチャネルへ切り替える必要はないと判断される。しかし、総和（ＴＴＬ＿ＰｔＰ）が送信電力（Ｍａｘ＿ＰｔＭ）以上であっても、コンテンツのセキュリティ的な属性によっては切り替えると判断してもよい。例えば、コンテンツが有料コンテンツである場合、ＰｔＭチャネルからＰｔＰチャネルへ切り替えるようにしてもよい。
【０１２５】
次に、図５に示したステップＴ７のチャネル切替え処理について図面を参照して詳細に説明する。
【０１２６】
図２５は図１２に示した状況において図５に示したステップＴ７のチャネル切替え処理が行われる場合の動作を示すシーケンスチャートである。図１２に示した状況において図５に示したステップＴ７のチャネル切替え処理が行われる場合、図２５に示すように基地局制御装置３０１は、ＰｔＰチャネル１（図１１参照）の送信を開始するよう基地局２０１に送信開始メッセージを送出する（ステップＥ１）。送信開始メッセージの受信に応答して、基地局２０１は図１１に示すようにＰｔＭチャネル１１を維持しつつユーザ端末１０１へのＰｔＰチャネル１の送信を開始し、そして基地局制御装置３０１に対して送信開始完了メッセージを返す（ステップＥ２）。
【０１２７】
送信開始完了メッセージの受信に応答して、基地局制御装置３０１は、ＰｔＭチャネル１１ではなくＰｔＰチャネル１でコンテンツを受信するよう指示するための切替え指示メッセージをユーザ端末１０１に送出する（ステップＥ３）。切替え指示メッセージの受信に応答して、ユーザ端末１０１はＰｔＰチャネル１でコンテンツを受信する動作に入り、ＰｔＰチャネル１でコンテンツを正常に受信できることを確認すると基地局制御装置３０１に対して切替完了メッセージを返す（ステップＥ４）。
【０１２８】
基地局制御装置３０１は、切替完了メッセージの受信に応答して、ＰｔＭチャネル１１がユーザ端末１０１には届かずユーザ端末１０２には届くようＰｔＭチャネル１１の送信電力を減少させるための送信電力減少メッセージを基地局２０１に送出する（ステップＥ５）。送信電力減少メッセージの受信に応答して、基地局２０１はＰｔＭチャネル１１の送信電力を減少させる。これにより、図１０に示すようにユーザ端末１０２に到達するＰｔＭチャネル１２が生成される。基地局２０１はＰｔＭチャネル１２を生成すると、基地局制御装置３０１に対して送信電力減少完了メッセージを返す（ステップＥ６）。したがって、図１０に示すように、ユーザ端末１０１はＰｔＰチャネル１でコンテンツを受信し、ユーザ端末１０２及び１０３はＰｔＭチャネル１２でコンテンツを受信する。
【０１２９】
なお、図１５に示した状況において図５に示したステップＴ７のチャネル切替え処理を行うことも可能である。図１５に示した状況において図５に示したステップＴ７のチャネル切替え処理を行う場合、基地局２０１はＰｔＭチャネル１０を維持しつつユーザ端末１０１へのＰｔＰチャネル１の送信を開始し、ユーザ端末１０１がＰｔＰチャネル１でコンテンツの受信を開始した後、図１０に示すように基地局２０１がＰｔＭチャネル１０の送信電力を減少させることによりＰｔＭチャネル１２を生成することになる。
【０１３０】
図２６は図１０に示した状況において図５に示したステップＴ７のチャネル切替え処理が行われる場合の動作を示すシーケンスチャートである。図１０に示した状況において図５に示したステップＴ７のチャネル切替え処理が行われる場合、図２６に示すように基地局制御装置３０１は、ＰｔＰチャネル２（図９参照）の送信を開始するよう基地局２０１に送信開始メッセージを送出する（ステップＥ７）。送信開始メッセージの受信に応答して、基地局２０１は図９に示すようにＰｔＭチャネル１２を維持しつつユーザ端末１０２へのＰｔＰチャネル２の送信を開始し、そして基地局制御装置３０１に対して送信開始完了メッセージを返す（ステップＥ８）。
【０１３１】
送信開始完了メッセージの受信に応答して、基地局制御装置３０１は、ＰｔＭチャネル１２ではなくＰｔＰチャネル２でコンテンツを受信するよう指示するための切替え指示メッセージをユーザ端末１０２に送出する（ステップＥ９）。切替え指示メッセージの受信に応答して、ユーザ端末１０２はＰｔＰチャネル２でコンテンツを受信する動作に入り、ＰｔＰチャネル２でコンテンツを正常に受信できることを確認すると基地局制御装置３０１に対して切替完了メッセージを返す（ステップＥ１０）。
【０１３２】
基地局制御装置３０１は、切替完了メッセージの受信に応答して、ＰｔＭチャネル１２がユーザ端末１０２には届かずユーザ端末１０３には届くようＰｔＭチャネル１２の送信電力を減少させるための送信電力減少メッセージを基地局２０１に送出する（ステップＥ１１）。送信電力減少メッセージの受信に応答して、基地局２０１はＰｔＭチャネル１２の送信電力を減少させる。これにより、図８に示すようにユーザ端末１０３に到達するＰｔＭチャネル１３が生成される。基地局２０１はＰｔＭチャネル１３を生成すると、基地局制御装置３０１に対して送信電力減少完了メッセージを返す（ステップＥ１２）。したがって、図８に示すように、ユーザ端末１０１及び１０２はＰｔＰチャネル１及び２でコンテンツを受信し、ユーザ端末１０３はＰｔＭチャネル１３でコンテンツを受信する。
【０１３３】
図２７は図８に示した状況において図５に示したステップＴ７のチャネル切替え処理が行われる場合の動作を示すシーケンスチャートである。図８に示した状況において図５に示したステップＴ７のチャネル切替え処理が行われる場合、図２７に示すように基地局制御装置３０１は、ＰｔＰチャネル３（図７参照）の送信を開始するよう基地局２０１に送信開始メッセージを送出する（ステップＥ１３）。送信開始メッセージの受信に応答して、基地局２０１は図７に示すようにＰｔＭチャネル１３を維持しつつユーザ端末１０３へのＰｔＰチャネル３の送信を開始し、そして基地局制御装置３０１に対して送信開始完了メッセージを返す（ステップＥ１４）。
【０１３４】
送信開始完了メッセージの受信に応答して、基地局制御装置３０１は、ＰｔＭチャネル１３ではなくＰｔＰチャネル３でコンテンツを受信するよう指示するための切替え指示メッセージをユーザ端末１０３に送出する（ステップＥ１５）。切替え指示メッセージの受信に応答して、ユーザ端末１０３はＰｔＰチャネル３でコンテンツを受信する動作に入り、ＰｔＰチャネル３でコンテンツを正常に受信できることを確認すると基地局制御装置３０１に対して切替完了メッセージを返す（ステップＥ１６）。
【０１３５】
基地局制御装置３０１は、切替完了メッセージの受信に応答して、ＰｔＭチャネル１３を解除するための送信停止メッセージを基地局２０１に送出し（ステップＥ１７）、基地局２０１は送信停止メッセージを受信するとＰｔＭチャネル１３の送信を停止する。したがって、図６に示すように、ユーザ端末１０１〜１０３はＰｔＰチャネル１〜３でコンテンツを受信する。
【０１３６】
以上説明したように、ユーザ端末１０１〜１０３に対するコンテンツ配信に用いられる無線チャネルがＰｔＭチャネル１１からＰｔＰチャネル１〜３に切替えられることにより、ＰｔＰチャネル１〜３の実際の送信電力量が、当初推定された送信電力量（図４に示したステップＴ１において求められる総和（ＴＴＬ＿ＰｔＰ））より大きくなった場合には、当初のＰｔＭチャネル１１に切り戻すようにしてもよい。
【０１３７】
図５に示したステップＴ７のチャネル切替え処理が行われる場合、上述したようにＰｔＭチャネルでコンテンツを受信する複数のユーザ端末のうちの一つの端末に対してのみＰｔＰチャネルに切替えていたが、複数のユーザ端末に対して同時にＰｔＰチャネルに切替えるようにしてもよい。このように複数のユーザ端末に対して図５に示したステップＴ７のチャネル切替え処理を行う場合、ＰｔＭチャネルを維持しつつ複数のユーザ端末に対してＰｔＰチャネルを送信している間、基地局２０１の下り送信電力の総和が上限値を超えないことが必要であることは勿論である。
【０１３８】
図１２に示した状況においてユーザ端末１０１及び１０２に対して図５に示したステップＴ７のチャネル切替え処理が行われる場合について説明する。なお、この処理は、図５に示したステップＴ６において、ＰｔＰチャネル１及び２の推定された送信電力の総和と、セル１００内のマージン電力（Ｍｇｎ＿ＰＷ）とを比較し、そしてＰｔＰチャネル１及び２の推定された送信電力の総和がマージン電力（Ｍｇｎ＿ＰＷ）以下であることが確認された後に行なわれる。
【０１３９】
図１２に示した状況においてユーザ端末１０１及び１０２に対して図５に示したステップＴ７のチャネル切替え処理が行われる場合、基地局２０１はＰｔＭチャネル１１を維持しつつユーザ端末１０１へのＰｔＰチャネル１及びユーザ端末１０２へのＰｔＰチャネル２の送信を開始し、ユーザ端末１０１及び１０２がＰｔＰチャネル１及び２でコンテンツの受信を開始した後、図８に示すように基地局２０１がＰｔＭチャネル１１の送信電力を減少させることによりＰｔＭチャネル１３を生成することになる。これにより図８に示すように、ユーザ端末１０１及び１０２はＰｔＰチャネル１及び２でコンテンツを受信し、ユーザ端末１０３はＰｔＭチャネル１３でコンテンツを受信する。なお、上述した基地局２０１の動作は基地局制御装置３０１により制御されることは勿論である。
【０１４０】
図１２に示した状況においてユーザ端末１０１〜１０３に対して図５に示したステップＴ７のチャネル切替え処理が行われる場合について説明する。なお、この処理は、図５に示したステップＴ６において、ＰｔＰチャネル１〜３の推定された送信電力の総和と、セル１００内のマージン電力（Ｍｇｎ＿ＰＷ）とを比較し、そしてＰｔＰチャネル１〜３の推定された送信電力の総和がマージン電力（Ｍｇｎ＿ＰＷ）以下であることが確認された後に行なわれる。
【０１４１】
図１２に示した状況においてユーザ端末１０１〜１０３に対して図５に示したステップＴ７のチャネル切替え処理が行われる場合、基地局２０１は図１４に示すようにＰｔＭチャネル１１を維持しつつユーザ端末１０１へのＰｔＰチャネル１、ユーザ端末１０２へのＰｔＰチャネル２及びユーザ端末１０３へのＰｔＰチャネル３の送信を開始し、ユーザ端末１０１〜１０３がＰｔＰチャネル１〜３でコンテンツの受信を開始した後、図６に示すように基地局２０１がＰｔＭチャネル１１の送信を停止することになる。これにより図６に示すように、ユーザ端末１０１〜１０３はＰｔＰチャネル１〜３でコンテンツを受信する。なお、上述した基地局２０１の動作は基地局制御装置３０１により制御されることは勿論である。
【０１４２】
次に、図５に示したステップＴ１０のチャネル切替え処理について図面を参照して詳細に説明する。
【０１４３】
図２８は図１２に示した状況において図５に示したステップＴ１０のチャネル切替え処理が行われる場合の動作を示すシーケンスチャートである。図１２に示した状況において図５に示したステップＴ１０のチャネル切替え処理が行われる場合、図２８に示すように基地局制御装置３０１は、ＰｔＭチャネル１１でのコンテンツ受信を中止しＰｔＰチャネル１（図１０参照）でコンテンツを受信する準備を行なうよう指示するための切替準備指示メッセージをユーザ端末１０１に送出する（ステップＦ１）。切替準備指示メッセージにはＰｔＰチャネル１が受信可能となる時刻情報が含まれている。ユーザ端末１０１は切替準備指示メッセージを受信すると、切替準備完了メッセージを基地局制御装置３０１に返す（ステップＦ２）。
【０１４４】
基地局制御装置３０１は、切替準備完了メッセージの受信に応答して、ＰｔＭチャネル１１がユーザ端末１０１には届かずユーザ端末１０２には届くようＰｔＭチャネル１１の送信電力を減少させるための送信電力減少メッセージを基地局２０１に送出する（ステップＦ３）。送信電力減少メッセージの受信に応答して、基地局２０１はＰｔＭチャネル１１の送信電力を減少させる。これにより、ユーザ端末１０２に到達するＰｔＭチャネル１２が生成される。基地局２０１はＰｔＭチャネル１２を生成すると、基地局制御装置３０１に対して送信電力減少完了メッセージを返す（ステップＦ４）。
【０１４５】
基地局制御装置３０１は、送信電力減少完了メッセージの受信に応答して、ＰｔＰチャネル１の送信を開始するよう基地局２０１に送信開始メッセージを送出する（ステップＦ５）。送信開始メッセージの受信に応答して、基地局２０１は図１０に示すようにユーザ端末１０１へのＰｔＰチャネル１の送信を開始する。ユーザ端末１０１は、切替準備指示メッセージにより指定された時刻にＰｔＰチャネル１でコンテンツの受信を開始する。したがって、図１０に示すようにユーザ端末１０１はＰｔＰチャネル１でコンテンツを受信し、ユーザ端末１０２及び１０３はＰｔＭチャネル１２でコンテンツを受信する。
【０１４６】
図２９は図１０に示した状況において図５に示したステップＴ１０のチャネル切替え処理が行われる場合の動作を示すシーケンスチャートである。図１０に示した状況において図５に示したステップＴ１０のチャネル切替え処理が行われる場合、図２９に示すように基地局制御装置３０１は、ＰｔＭチャネル１２でのコンテンツ受信を中止しＰｔＰチャネル２（図８参照）でコンテンツを受信する準備を行なうよう指示するための切替準備指示メッセージをユーザ端末１０２に送出する（ステップＦ６）。切替準備指示メッセージにはＰｔＰチャネル２が受信可能となる時刻情報が含まれている。ユーザ端末１０２は切替準備指示メッセージを受信すると、切替準備完了メッセージを基地局制御装置３０１に返す（ステップＦ７）。
【０１４７】
基地局制御装置３０１は、切替準備完了メッセージの受信に応答して、ＰｔＭチャネル１２がユーザ端末１０２には届かずユーザ端末１０３には届くようＰｔＭチャネル１２の送信電力を減少させるための送信電力減少メッセージを基地局２０１に送出する（ステップＦ８）。送信電力減少メッセージの受信に応答して、基地局２０１はＰｔＭチャネル１２の送信電力を減少させる。これにより、ユーザ端末１０３に到達するＰｔＭチャネル１３が生成される。基地局２０１はＰｔＭチャネル１３を生成すると、基地局制御装置３０１に対して送信電力減少完了メッセージを返す（ステップＦ９）。
【０１４８】
基地局制御装置３０１は、送信電力減少完了メッセージの受信に応答して、ＰｔＰチャネル２の送信を開始するよう基地局２０１に送信開始メッセージを送出する（ステップＦ１０）。送信開始メッセージの受信に応答して、基地局２０１は図８に示すようにユーザ端末１０２へのＰｔＰチャネル２の送信を開始する。ユーザ端末１０２は、切替準備指示メッセージにより指定された時刻にＰｔＰチャネル２でコンテンツの受信動作を開始する。したがって、図８に示すようにユーザ端末１０１及び１０２はＰｔＰチャネル１及び２でコンテンツを受信し、ユーザ端末１０３はＰｔＭチャネル１３でコンテンツを受信するようになる。
【０１４９】
図３０は図８に示した状況において図５に示したステップＴ１０のチャネル切替え処理が行われる場合の動作を示すシーケンスチャートである。図８に示した状況において図５に示したステップＴ１０のチャネル切替え処理が行われる場合、図３０に示すように基地局制御装置３０１は、ＰｔＭチャネル１３でのコンテンツ受信を中止しＰｔＰチャネル３（図６参照）でコンテンツを受信する準備を行なうよう指示するための切替準備指示メッセージをユーザ端末１０３に送出する（ステップＦ１１）。切替準備指示メッセージにはＰｔＰチャネル３が受信可能となる時刻情報が含まれている。ユーザ端末１０３は切替準備指示メッセージを受信すると、切替準備完了メッセージを基地局制御装置３０１に返す（ステップＦ１２）。
【０１５０】
基地局制御装置３０１は、切替準備完了メッセージの受信に応答して、ＰｔＭチャネル１３を解除するための送信停止メッセージを基地局２０１に送出する（ステップＦ１３）。基地局２０１は、送信停止メッセージの受信に応答してＰｔＭチャネル１３の送信を止め、そして送信停止完了メッセージを基地局制御装置３０１に返す（ステップＦ１４）。
【０１５１】
基地局制御装置３０１は、送信停止完了メッセージの受信に応答して、ＰｔＰチャネル３の送信を開始するよう基地局２０１に送信開始メッセージを送出する（ステップＦ１５）。送信開始メッセージの受信に応答して、基地局２０１は図６に示すようにユーザ端末１０３へのＰｔＰチャネル３の送信を開始する。ユーザ端末１０３は、切替準備指示メッセージにより指定された時刻にＰｔＰチャネル３でコンテンツの受信動作を開始する。したがって、図６に示すようにユーザ端末１０１〜１０３はＰｔＰチャネル１〜３でコンテンツを受信するようになる。
【０１５２】
次に、図５に示したステップＴ１１のチャネル切替え処理について説明する。
【０１５３】
図１２に示した状況において図５に示したステップＴ１１のチャネル切替え処理を行なうことによりユーザ端末１０１及び１０２に対するコンテンツ配信に用いられる無線チャネルをＰｔＭチャネル１１からＰｔＰチャネル１及び２（図８参照）に一度に切替える場合、基地局２０１は、ＰｔＭチャネル１１がユーザ端末１０１及び１０２には届かずユーザ端末１０３には届くようＰｔＭチャネル１１の送信電力を減少させる。これにより、ユーザ端末１０３に到達するＰｔＭチャネル１３が生成される。
【０１５４】
そして基地局２０１は、図８に示すようにユーザ端末１０１へのＰｔＰチャネル１の送信及びユーザ端末１０２へのＰｔＰチャネル２の送信を開始する。そして、図８に示すようにユーザ端末１０１及び１０２はＰｔＰチャネル１及び２でコンテンツを受信する。なお、上述した基地局２０１の動作は基地局制御装置３０１により制御されることは勿論である。
【０１５５】
図１２に示した状況において図５に示したステップＴ１１のチャネル切替え処理を行なうことによりユーザ端末１０１〜１０３に対するコンテンツ配信に用いられる無線チャネルをＰｔＭチャネル１１からＰｔＰチャネル１〜３（図６参照）に一度に切替えるようにしてもよい。この場合、基地局２０１は、ＰｔＭチャネル１１の送信を停止する。そして基地局２０１は、図６に示すようにユーザ端末１０１へのＰｔＰチャネル１の送信、ユーザ端末１０２へのＰｔＰチャネル２の送信及びユーザ端末１０３へのＰｔＰチャネル３の送信を開始する。そして、図６に示すようにユーザ端末１０１〜１０３はＰｔＰチャネル１〜３でコンテンツを受信する。なお、上述した基地局２０１の動作は基地局制御装置３０１により制御されることは勿論である。
【０１５６】
以上説明したように図３及び５に示したステップＳ７，Ｓ９，Ｓ１０，Ｔ７，Ｔ１０及びＴ１１のチャネル切替処理の各々では、基地局制御装置３０１の制御により無線チャネルの種別が切替えられる。すなわち、基地局制御装置３０１は無線チャネルの種別を切替えるためのチャネル切替制御手段を有しており、このチャネル切替制御手段により図３及び５に示したステップＳ７，Ｓ９，Ｓ１０，Ｔ７，Ｔ１０及びＴ１１のチャネル切替処理の各々が実現される。また、図２及び４に示したステップＳ３及びＴ３の各々において、無線チャネルの種別を切替えるか否かが判断されており、この判断は上述したように基地局２０１と基地局制御装置３０１のどちらが行ってもよい。すなわち、基地局２０１または基地局制御装置３０１は無線チャネルの種別を切替えるか否かを判断するためのチャネル切替判断手段を有し、このチャネル切替判断手段が、コンテンツ配信に現在用いられている第１のチャネルの下り送信電力量と、この第１のチャネルと種別の異なる第２のチャネルをコンテンツ配信に用いた場合の第２のチャネルの下り送信電力量とに基づいて、第１のチャネルを第２のチャネルへ切替えるか否かを判断するようにしている。
【０１５７】
コンテンツには、中断を伴うことが望ましくないコンテンツと、中断を伴っても差し支えないコンテンツとがある。中断を伴うことが望ましくないコンテンツは、例えば連続的に配送されかつ配送が途切れた場合にユーザにとって不満をもたらすコンテンツであり、映画あるいは中継画像などである。一方、中断を伴っても差し支えないコンテンツは、例えば間欠的かつ繰り返し配送され、たとえ配送が途切れた場合であってもユーザは欠落したデータを再び得ることができるコンテンツであり、ある間隔で繰り返し配信される通知情報などである。
【０１５８】
図３及び５に示したステップＳ９，Ｓ１０，Ｔ１０及びＴ１１のチャネル切替処理の各々は、上述したようにコンテンツの中断を伴うチャネル切替処理であるが、同報サービスを受けるユーザ端末に配信されるコンテンツが中断を伴うことが望ましくないコンテンツである場合に、コンテンツの中断を伴うチャネル切替処理を行うことは望ましくない。そこで、コンテンツが中断を伴うことが望ましくないコンテンツである場合、コンテンツの中断を伴うチャネル切替処理を行わないようにしてもよい。
【０１５９】
基地局制御装置３０１が同報コンテンツサーバ５０１からのコンテンツが中断を伴うことが望ましくないコンテンツであるかどうか知るために、同報コンテンツサーバ５０１は、同報コンテンツサーバ５０１からコンテンツの同報配信が開始される際、またはコンテンツの同報配信が行なわれている最中に、コンテンツの属性すなわちコンテンツが中断を伴うことが望ましくないコンテンツであるかどうかを基地局制御装置３０１に通知する。これにより、基地局制御装置３０１は、コンテンツの中断を伴うチャネル切替処理を行ってもよいかどうかを判断することができる。
【０１６０】
なお、図３１に同報コンテンツサーバ５０１が基地局制御装置３０１にコンテンツの属性を通知する動作が示されている。図３１（ａ）はコンテンツの配信が開始される際にコンテンツの属性を通知する動作を示すシーケンスチャートであり、図３１（ｂ）はコンテンツの配信中にコンテンツの属性を通知あるいは属性の変化を通知する動作を示すシーケンスチャートである。
【０１６１】
図３１（ａ）において、同報コンテンツサーバ５０１は、コンテンツの配信が開始される際にコンテンツの属性を通知するコンテンツ属性通知メッセージを送出し（ステップＧ１）、そして基地局制御装置３０１は、コンテンツの属性の通知を受けたことを同報コンテンツサーバ５０１に通知するコンテンツ属性通知確認メッセージを送出する（ステップＧ２）。図３１（ｂ）において、同報コンテンツサーバ５０１は、コンテンツの配信中にコンテンツの属性を通知あるいは属性の変化を通知するコンテンツ属性変更通知メッセージを送出し（ステップＧ３）、そして基地局制御装置３０１は、コンテンツの属性の通知を受けたことを同報コンテンツサーバ５０１に通知するコンテンツ属性変更通知確認メッセージを送出する（ステップＧ４）。
【図面の簡単な説明】
【０１６２】
【図１】本発明の実施例による移動通信システムの構成を示す図である。
【図２】ＰｔＰチャネルで同報サービスが提供されている場合の本発明の実施例による移動通信システムの動作を示すフローチャートである。
【図３】ＰｔＰチャネルで同報サービスが提供されている場合の本発明の実施例による移動通信システムの動作を示すフローチャートである。
【図４】ＰｔＭチャネルで同報サービスが提供されている場合の本発明の実施例による移動通信システムの動作を示すフローチャートである。
【図５】ＰｔＭチャネルで同報サービスが提供されている場合の本発明の実施例による移動通信システムの動作を示すフローチャートである。
【図６】本発明の実施例による移動通信システムの動作について説明するための図である。
【図７】本発明の実施例による移動通信システムの動作について説明するための図である。
【図８】本発明の実施例による移動通信システムの動作について説明するための図である。
【図９】本発明の実施例による移動通信システムの動作について説明するための図である。
【図１０】本発明の実施例による移動通信システムの動作について説明するための図である。
【図１１】本発明の実施例による移動通信システムの動作について説明するための図である。
【図１２】本発明の実施例による移動通信システムの動作について説明するための図である。
【図１３】本発明の実施例による移動通信システムの動作について説明するための図である。
【図１４】本発明の実施例による移動通信システムの動作について説明するための図である。
【図１５】本発明の実施例による移動通信システムの動作について説明するための図である。
【図１６】本発明の実施例による移動通信システムの動作について説明するための図である。
【図１７】本発明の実施例による移動通信システムの動作を示すシーケンスチャートである。
【図１８】本発明の実施例による移動通信システムの動作を示すシーケンスチャートである。
【図１９】本発明の実施例による移動通信システムの動作を示すシーケンスチャートである。
【図２０】本発明の実施例による移動通信システムの動作を示すシーケンスチャートである。
【図２１】本発明の実施例による移動通信システムの動作を示すシーケンスチャートである。
【図２２】本発明の実施例による移動通信システムの動作を示すシーケンスチャートである。
【図２３】本発明の実施例による移動通信システムの動作を示すシーケンスチャートである。
【図２４】本発明の実施例による移動通信システムの動作を示すシーケンスチャートである。
【図２５】本発明の実施例による移動通信システムの動作を示すシーケンスチャートである。
【図２６】本発明の実施例による移動通信システムの動作を示すシーケンスチャートである。
【図２７】本発明の実施例による移動通信システムの動作を示すシーケンスチャートである。
【図２８】本発明の実施例による移動通信システムの動作を示すシーケンスチャートである。
【図２９】本発明の実施例による移動通信システムの動作を示すシーケンスチャートである。
【図３０】本発明の実施例による移動通信システムの動作を示すシーケンスチャートである。
【図３１】本発明の実施例による移動通信システムの動作を示すシーケンスチャートである。
【符号の説明】
【０１６３】
１〜３ ＰｔＰチャネル
１０〜１３ ＰｔＭチャネル
１００ セル
１０１〜１０３ ユーザ端末
２０１，２０２ 基地局
３０１ 基地局制御装置
４０１ 網接続装置
５０１ 同報コンテンツサーバ
【図１】
2008219918.tif 000003
【図２】
2008219918.tif 000004
【図３】
2008219918.tif 000005
【図４】
2008219918.tif 000006
【図５】
2008219918.tif 000007
【図６】
2008219918.tif 000008
【図７】
2008219918.tif 000009
【図８】
2008219918.tif 000010
【図９】
2008219918.tif 000011
【図１０】
2008219918.tif 000012
【図１１】
2008219918.tif 000013
【図１２】
2008219918.tif 000014
【図１３】
2008219918.tif 000015
【図１４】
2008219918.tif 000016
【図１５】
2008219918.tif 000017
【図１６】
2008219918.tif 000018
【図１７】
2008219918.tif 000019
【図１８】
2008219918.tif 000020
【図１９】
2008219918.tif 000021
【図２０】
2008219918.tif 000022
【図２１】
2008219918.tif 000023
【図２２】
2008219918.tif 000024
【図２３】
2008219918.tif 000025
【図２４】
2008219918.tif 000026
【図２５】
2008219918.tif 000027
【図２６】
2008219918.tif 000028
【図２７】
2008219918.tif 000029
【図２８】
2008219918.tif 000030
【図２９】
2008219918.tif 000031
【図３０】
2008219918.tif 000032
【図３１】
2008219918.tif 000033